(57)【要約】  本指圧器具は、人体の頭部及び肩部の局所を押圧するための指圧器具１であって、心棒２と、心棒の軸方向の端側に設けられる軸端側押圧体３と、心棒の外周側に心棒の軸方向と交差して設けられる長尺状の第１外周側押圧体４と、心棒の外周側に心棒の軸方向と交差して設けられるとともに、心棒の軸端側押圧体と第１外周側押圧体との間に配置される長尺状の第２外周側押圧体５と、を備える。そして、第１及び第２外周側押圧体のそれぞれは、心棒の外周面に沿う湾曲部４ａ、５ａと、湾曲部の両端側から延びる一対の脚部４ｂ、４ｃ、５ｂ、５ｃと、を備える。
2019123654.tif 000002
【特許請求の範囲】
【請求項１】
人体の頭部及び肩部の局所を押圧するための指圧器具であって、
心棒と、
前記心棒の軸方向の端側に設けられる軸端側押圧体と、
前記心棒の外周側に前記心棒の軸方向と交差して設けられる長尺状の第１外周側押圧体と、
前記心棒の外周側に前記心棒の軸方向と交差して設けられるとともに、前記心棒の前記軸端側押圧体と前記第１外周側押圧体との間に配置される長尺状の第２外周側押圧体と、を備え、
前記第１外周側押圧体及び前記第２外周側押圧体のそれぞれは、前記心棒の外周面に沿う湾曲部と、前記湾曲部の両端側から延びる一対の脚部と、を備えることを特徴とする指圧器具。
【請求項２】
前記心棒の外周側に前記心棒の軸方向と交差して設けられるとともに、前記心棒の前記第１外周側押圧体と前記第２外周側押圧体との間に配置される長尺状の第３外周側押圧体を備え、
前記第３外周側押圧体は、前記心棒の外周面に沿う湾曲部と、前記湾曲部の両端側から延びる一対の脚部と、を備える請求項１記載の指圧器具。
【請求項３】
前記軸端側押圧体、前記第１外周側押圧体及び前記第２外周側押圧体のそれぞれは、弾性材料を用いて形成されている請求項１又は２に記載の指圧器具。
【請求項４】
前記軸端側押圧体は、前記心棒の軸方向の外方に向かって凸となる半円柱状、半球体状又は錐体状に形成されている請求項１乃至３のいずれか一項に記載の指圧器具。
【請求項５】
前記第１外周側押圧体及び前記第２外周側押圧体の軸方向と直交する各断面形状は、前記心棒の遠心側に向かって凸となる凸形状に形成されている請求項１乃至４のいずれか一項に記載の指圧器具。
【請求項６】
前記第１外周側押圧体の前記一対の脚部のなす交差角度は、前記第２外周側押圧体の前記一対の脚部のなす交差角度よりも大きい請求項１乃至５のいずれか一項に記載の指圧器具。
【請求項７】
前記第１外周側押圧体の前記一対の脚部及び前記第２外周側押圧体の前記一対の脚部を設置面上に接地させたときに、前記心棒は、前記設置面に対して上下方向に傾斜する請求項１乃至６のいずれか一項に記載の指圧器具。
【請求項８】
前記第１外周側押圧体の前記一対の脚部及び前記第２外周側押圧体の前記一対の脚部を設置面上に接地させたときに、前記第１外周側押圧体は、前記第２外周側押圧体よりも前記設置面から頂点までの高さが低い請求項１乃至７のいずれか一項に記載の指圧器具。
【請求項９】
前記第１外周側押圧体は、前記第２外周側押圧体よりも平面視の長尺方向の長さが長い請求項１乃至８のいずれか一項に記載の指圧器具。
【請求項１０】
請求項１乃至９のいずれか一項に記載の指圧器具により構成される左右の主指圧器具と、左右の副指圧器具と、を備える指圧器具セットであって、
前記副指圧器具は、心棒と、前記心棒の外周側に前記心棒の軸方向と交差して並設される長尺状の第１外周側押圧体及び第２外周側押圧体と、を備え、前記第１外周側押圧体及び前記第２外周側押圧体のそれぞれは、前記心棒の外周面に沿う湾曲部と、前記湾曲部の両端側から延びる一対の脚部と、を備え、
前記副指圧器具は、人体の腰部の局所を押圧するための第１副指圧器具、人体の大腿つけ根部の局所を押圧するための第２副指圧器具、人体の背部の局所を押圧するための第３副指圧器具、人体の下腿下部の局所を押圧するための第４副指圧器具、人体の足首の局所を押圧するための第５副指圧器具、人体の足の局所を押圧するための第６副指圧器具、及び人体の大腿下部の局所を押圧するための第７副指圧器具のうちの少なくとも１種を含むことを特徴とする指圧器具セット。
【請求項１１】
前記副指圧器具において、
前記第１外周側押圧体の前記一対の脚部及び前記第２外周側押圧体の前記一対の脚部を設置面上に接地させたときに、前記第１外周側押圧体は、前記第２外周側押圧体よりも前記設置面から頂点までの高さが低い請求項１０記載の指圧器具セット。
【請求項１２】
前記副指圧器具において、
前記第１外周側押圧体は、前記第２外周側押圧体よりも平面視の長尺方向の長さが短い請求項１０又は１１に記載の指圧器具。
【請求項１３】
前記副指圧器具において、
前記第１外周側押圧体と前記第２外周側押圧体とは、側面同士が接するように配置されている請求項１０乃至１２のいずれか一項に記載の指圧器具セット。
【請求項１４】
請求項１０乃至１３のいずれか一項に記載の指圧器具セットを設置面上に配置してなる指圧器具セットの配置構造であって、
前記主指圧器具は、前記設置面上の仮想線で区画される左右の領域に並設されているとともに、前記設置面の平面視で該仮想線に対して前記心棒の前記軸端側押圧体側の一方の軸端側が他方の軸端側よりも近づくように前記心棒が傾斜して配置されており、
前記副指圧器具は、前記設置面上の仮想線で区画される左右の領域に並設されているとともに、前記設置面の平面視で該仮想線に対して前記心棒が傾斜して又は平行に配置されていることを特徴とする指圧器具セットの配置構造。
【請求項１５】
請求項１乃至９のいずれか一項に記載の指圧器具により構成される左右の主指圧器具と、補助指圧器具と、を備える指圧器具セットであって、
前記補助指圧器具は、心棒と、前記心棒の外周側に前記心棒の軸方向と交差して並設される長尺状の一対の外周側押圧体と、を備え、前記外周側押圧体は、前記心棒の外周面に沿う第１湾曲部と、前記第１湾曲部の一端側から延びる一方の脚部と、前記湾曲部の他端側から直線状に延びる直線状部と、前記直線状部の端側に一端側が接続される第２湾曲部と、前記第２湾曲部の他端側から延びる他方の脚部と、を備え、前記第１湾曲部には、前記直線状部の厚さよりも薄肉の薄肉部及び前記薄肉部と前記直線状部とを連絡する傾斜面部が形成されており、
前記補助指圧器具は、人体の腰部及び臀部の局所を押圧するための第１補助指圧器具、及び人体の背部の局所を押圧するための第２補助指圧器具のうちの少なくとも１種を含むことを特徴とする指圧器具セット。
【請求項１６】
請求項１５記載の指圧器具セットを設置面上に配置してなる指圧器具セットの配置構造であって、
前記主指圧器具は、前記設置面上の仮想線で区画される左右の領域に並設されているとともに、前記設置面の平面視で該仮想線に対して前記心棒の前記軸端側押圧体側の一方の軸端側が他方の軸端側よりも近づくように前記心棒が傾斜して配置されており、
前記補助指圧器具は、前記設置面上の仮想線に対して前記心棒が直交して該仮想線を跨ぐように配置されていることを特徴とする指圧器具セットの配置構造。
【発明の詳細な説明】
【技術分野】
【０００１】
本発明は、指圧器具、指圧器具セット及びその配置構造に関し、さらに詳しくは、人体の頭部及び肩部の局所を押圧するための指圧器具、指圧器具セット及びその配置構造に関する。
【背景技術】
【０００２】
従来一般に、肩こりの療法として、指圧師による指圧療法が広く行われている。この指圧療法は、指圧師が患者の人体の各部の局所に指を当て、体重をのせかけてこれを押圧する療法である。しかしながら、肩が凝ったときにいつも或いは直ぐに指圧師による指圧療法を受けることは通常難しい。そこで、本出願人により、自分自身で指圧療法を行うことができる各種の指圧器具が提案されている（例えば、特許文献１及び２等参照）。【０００３】
上記特許文献１及び２には、心棒と、心棒の外周側に心棒の軸方向と交差して並設される長尺状の第１弾性体及び第２弾性体と、を備える指圧器具が記載されている。この指圧器具によると、使用者が仰向け又は横向きで指圧器具の各弾性体上に頭部や肩部を載せると、その重力により弾性体が弾性変形すること及び弾性体自身が柔らかいことで、筋肉が解されたり血行がよくされたりして指圧効果と同様の効果が得られる。
【先行技術文献】
【特許文献】
【０００４】
【特許文献１】国際公開第２０１２／０３６１３６号公報
【特許文献２】国際公開第２０１５／０７６０１１号公報
【発明の概要】
【発明が解決しようとする課題】
【０００５】
ここで、例えば、図６６に示されるように、人体の頭部には、風池Ｐ１、天柱（後頸部の第１点）Ｐ２、盆のくぼ（あ門）Ｐ３、乳様突起の下の神経スポットＰ４等の目の疲れ、肩こり、頭痛、脳の働きの活性化などに効く重要なツボが集まっている一帯Ｂ１が存在する。この一帯Ｂ１は、頭蓋骨と筋とのつなぎ点であるため、疲れが貯まる箇所である。この一帯Ｂ１を押すことにより、頭部の疲労がとれる。一方、人体の肩部には、後頸部及び側頸部の第４点Ｐ５や肩甲上部のツボＰ６等の肩こりなどに効く重要なツボが集まっている一帯Ｂ２が存在する。この一帯Ｂ２は、肩部の骨と筋のつなぎ点であるため、疲れが貯まる箇所である。この一帯Ｂ２を押すことにより、肩部の疲労が取れる。【０００６】
しかし、上記特許文献１及び２に記載された指圧器具では、心棒の外周側に同じ形状・サイズの第１及び第２弾性体を単純に設けているので、上述の各一帯Ｂ１、Ｂ２を同時に且つ効果的に押圧することが難しい。特に、肩こり緩和に最も効く肩甲上部のツボＰ６を正確に押圧することが難しい。【０００７】
本発明は、上記現状に鑑みてなされたものであり、肩こりを効果的に緩和、解消又は予防することができる指圧器具、指圧器具セット及びその配置構造を提供することを目的とする。
【課題を解決するための手段】
【０００８】
本発明は、以下の通りである。
１．人体の頭部及び肩部の局所を押圧するための指圧器具であって、
心棒と、
前記心棒の軸方向の端側に設けられる軸端側押圧体と、
前記心棒の外周側に前記心棒の軸方向と交差して設けられる長尺状の第１外周側押圧体と、
前記心棒の外周側に前記心棒の軸方向と交差して設けられるとともに、前記心棒の前記軸端側押圧体と前記第１外周側押圧体との間に配置される長尺状の第２外周側押圧体と、を備え、
前記第１外周側押圧体及び前記第２外周側押圧体のそれぞれは、前記心棒の外周面に沿う湾曲部と、前記湾曲部の両端側から延びる一対の脚部と、を備えることを特徴とする指圧器具。
２．前記心棒の外周側に前記心棒の軸方向と交差して設けられるとともに、前記心棒の前記第１外周側押圧体と前記第２外周側押圧体との間に配置される長尺状の第３外周側押圧体を備え、
前記第３外周側押圧体は、前記心棒の外周面に沿う湾曲部と、前記湾曲部の両端側から延びる一対の脚部と、を備える上記１．記載の指圧器具。
３．前記軸端側押圧体、前記第１外周側押圧体及び前記第２外周側押圧体のそれぞれは、弾性材料を用いて形成されている上記１．又は２．に記載の指圧器具。
４．前記軸端側押圧体は、前記心棒の軸方向の外方に向かって凸となる半円柱状、半球体状又は錐体状に形成されている上記１．乃至３．のいずれか一項に記載の指圧器具。
５．前記第１外周側押圧体及び前記第２外周側押圧体の軸方向と直交する各断面形状は、前記心棒の遠心側に向かって凸となる凸形状に形成されている上記１．乃至４．のいずれか一項に記載の指圧器具。
６．前記第１外周側押圧体の前記一対の脚部のなす交差角度は、前記第２外周側押圧体の前記一対の脚部のなす交差角度よりも大きい上記１．乃至５．のいずれか一項に記載の指圧器具。
７．前記第１外周側押圧体の前記一対の脚部及び前記第２外周側押圧体の前記一対の脚部を設置面上に接地させたときに、前記心棒は、前記設置面に対して上下方向に傾斜する上記１．乃至６．のいずれか一項に記載の指圧器具。
８．前記第１外周側押圧体の前記一対の脚部及び前記第２外周側押圧体の前記一対の脚部を設置面上に接地させたときに、前記第１外周側押圧体は、前記第２外周側押圧体よりも前記設置面から頂点までの高さが低い上記１．乃至７．のいずれか一項に記載の指圧器具。
９．前記第１外周側押圧体は、前記第２外周側押圧体よりも平面視の長尺方向の長さが長い上記１．乃至８．のいずれか一項に記載の指圧器具。
１０．上記１．乃至９．のいずれか一項に記載の指圧器具により構成される左右の主指圧器具と、左右の副指圧器具と、を備える指圧器具セットであって、
前記副指圧器具は、心棒と、前記心棒の外周側に前記心棒の軸方向と交差して並設される長尺状の第１外周側押圧体及び第２外周側押圧体と、を備え、前記第１外周側押圧体及び前記第２外周側押圧体のそれぞれは、前記心棒の外周面に沿う湾曲部と、前記湾曲部の両端側から延びる一対の脚部と、を備え、
前記副指圧器具は、人体の腰部の局所を押圧するための第１副指圧器具、人体の大腿つけ根部の局所を押圧するための第２副指圧器具、人体の背部の局所を押圧するための第３副指圧器具、人体の下腿下部の局所を押圧するための第４副指圧器具、人体の足首の局所を押圧するための第５副指圧器具、人体の足の局所を押圧するための第６副指圧器具、及び人体の大腿下部の局所を押圧するための第７副指圧器具のうちの少なくとも１種を含むことを特徴とする指圧器具セット。
１１．前記副指圧器具において、
前記第１外周側押圧体の前記一対の脚部及び前記第２外周側押圧体の前記一対の脚部を設置面上に接地させたときに、前記第１外周側押圧体は、前記第２外周側押圧体よりも前記設置面から頂点までの高さが低い上記１０．記載の指圧器具セット。
１２．前記副指圧器具において、
前記第１外周側押圧体は、前記第２外周側押圧体よりも平面視の長尺方向の長さが短い上記１０．又は１１．に記載の指圧器具。
１３．前記副指圧器具において、
前記第１外周側押圧体と前記第２外周側押圧体とは、側面同士が接するように配置されている上記１０．乃至１２．のいずれか一項に記載の指圧器具セット。
１４．上記１０．乃至１３．のいずれか一項に記載の指圧器具セットを設置面上に配置してなる指圧器具セットの配置構造であって、
前記主指圧器具は、前記設置面上の仮想線で区画される左右の領域に並設されているとともに、前記設置面の平面視で該仮想線に対して前記心棒の前記軸端側押圧体側の一方の軸端側が他方の軸端側よりも近づくように前記心棒が傾斜して配置されており、
前記副指圧器具は、前記設置面上の仮想線で区画される左右の領域に並設されているとともに、前記設置面の平面視で該仮想線に対して前記心棒が傾斜して又は平行に配置されていることを特徴とする指圧器具セットの配置構造。
１５．上記１．乃至９．のいずれか一項に記載の指圧器具により構成される左右の主指圧器具と、補助指圧器具と、を備える指圧器具セットであって、
前記補助指圧器具は、心棒と、前記心棒の外周側に前記心棒の軸方向と交差して並設される長尺状の一対の外周側押圧体と、を備え、前記外周側押圧体は、前記心棒の外周面に沿う第１湾曲部と、前記第１湾曲部の一端側から延びる一方の脚部と、前記湾曲部の他端側から直線状に延びる直線状部と、前記直線状部の端側に一端側が接続される第２湾曲部と、前記第２湾曲部の他端側から延びる他方の脚部と、を備え、前記第１湾曲部には、前記直線状部の厚さよりも薄肉の薄肉部及び前記薄肉部と前記直線状部とを連絡する傾斜面部が形成されており、
前記補助指圧器具は、人体の腰部及び臀部の局所を押圧するための第１補助指圧器具、及び人体の背部の局所を押圧するための第２補助指圧器具のうちの少なくとも１種を含むことを特徴とする指圧器具セット。
１６．上記１５．記載の指圧器具セットを設置面上に配置してなる指圧器具セットの配置構造であって、
前記主指圧器具は、前記設置面上の仮想線で区画される左右の領域に並設されているとともに、前記設置面の平面視で該仮想線に対して前記心棒の前記軸端側押圧体側の一方の軸端側が他方の軸端側よりも近づくように前記心棒が傾斜して配置されており、
前記補助指圧器具は、前記設置面上の仮想線に対して前記心棒が直交して該仮想線を跨ぐように配置されていることを特徴とする指圧器具セットの配置構造。
【発明の効果】
【０００９】
本発明の指圧器具によると、心棒と、心棒の軸方向の端側に設けられる軸端側押圧体と、心棒の外周側に心棒の軸方向と交差して設けられる長尺状の第１外周側押圧体と、心棒の外周側に心棒の軸方向と交差して設けられるとともに、心棒の軸端側押圧体と第１外周側押圧体との間に配置される長尺状の第２外周側押圧体と、を備え、第１外周側押圧体及び第２外周側押圧体のそれぞれは、心棒の外周面に沿う湾曲部と、湾曲部の両端側から延びる一対の脚部と、を備える。これにより、例えば、使用者が仰向け又は横向きで指圧器具上に頭部を載せると、第１外周側押圧体により後頭部が押圧され支持された状態で、第２外周側押圧体により頭蓋骨と筋とのつなぎ点となる一帯が押圧されるとともに、軸端側押圧体により肩部の骨と筋のつなぎ点となる一帯が押圧される。特に、軸端側押圧体により肩こり緩和に最も効く肩甲上部のツボを正確に押圧できる。その結果、肩こりを効果的に緩和、解消又は予防することができる。【００１０】
本発明の指圧器具セットによると、上述の指圧器具により構成される左右の主指圧器具と、左右の副指圧器具と、を備える。そして、副指圧器具は、人体の腰部の局所を押圧するための第１副指圧器具、人体の大腿つけ根部の局所を押圧するための第２副指圧器具、人体の背部の局所を押圧するための第３副指圧器具、人体の下腿下部の局所を押圧するための第４副指圧器具、人体の足首の局所を押圧するための第５副指圧器具、人体の足の局所を押圧するための第６副指圧器具、及び人体の大腿下部の局所を押圧するための第７副指圧器具のうちの少なくとも１種を含む。これにより、例えば、使用者が仰向け又は横向きで主指圧器具上に頭部を載せ、更に副指圧器具上に人体の各部を載せることで、主指圧器具により肩こり対策がなされるとともに、副指圧器具により人体の各部の疲労対策がなされる。
本発明の指圧器具セットの配置構造によると、上述の指圧器具セットを設置面上に配置してなり、主指圧器具は、設置面上の仮想線で区画される左右の領域に並設されているとともに、設置面の平面視で仮想線に対して心棒の軸端側押圧体側の一方の軸端側が他方の軸端側よりも近づくように心棒が傾斜して配置されており、副指圧器具は、設置面上の仮想線で区画される左右の領域に並設されているとともに、設置面の平面視で仮想線に対して心棒が傾斜して又は平行に配置されている。これにより、上述の指圧器具セットに好適な配置形態を提供できる。【００１１】
本発明の他の指圧器具セットによると、上述の指圧器具により構成される左右の主指圧器具と、補助指圧器具と、を備える。そして、補助指圧器具は、人体の腰部及び臀部の局所を押圧するための第１補助指圧器具、及び人体の背部の局所を押圧するための第２補助指圧器具のうちの少なくとも１種を含む。これにより、例えば、使用者が仰向け又は横向きで主指圧器具上に頭部を載せ、更に補助指圧器具上に人体の各部を載せることで、主指圧器具により肩こり対策がなされるとともに、補助指圧器具により人体の各部の疲労対策がなされる。
本発明の他の指圧器具セットの配置構造によると、上述の指圧器具セットを設置面上に配置してなり、主指圧器具は、設置面上の仮想線で区画される左右の領域に並設されているとともに、設置面の平面視で仮想線に対して心棒の軸端側押圧体側の一方の軸端側が他方の軸端側よりも近づくように心棒が傾斜して配置されており、補助指圧器具は、設置面上の仮想線に対して心棒が直交して仮想線を跨ぐように配置されている。これにより、上述の指圧器具セットに好適な配置形態を提供できる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る指圧器具の斜視図である。
【図２】上記指圧器具の側面図である。
【図３】図２のＩＩＩ矢視図である。
【図４】図２のＩＶ矢視図である。
【図５】図３のＶ−Ｖ線断面図である。
【図６】上記指圧器具を構成する外周側押圧体（非弾性変形状態の弾性体）の斜視図である。
【図７】他の形態に係る外周側押圧体（非弾性変形状態の弾性体）を説明するための説明図であり、（ａ）は底面側が凹状に形成された形態を示し、（ｂ）は底面側が角柱状に形成された形態を示す。
【図８】上記外周側押圧体の設置面からの高さの決定の形態を説明するための説明図であり、（ａ）は指圧器具の正面図を示し、（ｂ）は指圧器具の側面図を示す。
【図９】上記指圧器具の使用方法を説明するための説明図である。
【図１０】上記指圧器具の使用方法を説明するための説明図であり、人体の背面からみた指圧器具の位置関係を示す。
【図１１】上記指圧器具の使用方法を説明するための説明図であり、人体の側面からみた指圧器具の位置関係を示す。
【図１２】上記指圧器具の使用方法を説明するための説明図である。
【図１３】他の形態に係る指圧器具を説明するための説明図である。
【図１４】更なる他の形態に係る指圧器具を説明するための説明図である。
【図１５】更なる他の形態に係る指圧器具を説明するための説明図である。
【図１６】更なる他の形態に係る指圧器具を説明するための説明図である。
【図１７】更なる他の形態に係る指圧器具を説明するための説明図である。
【図１８】上記指圧器具を構成する外周側押圧体（非弾性変形状態の弾性体）を説明するための説明図である。
【図１９】実施例に係る指圧器具セットの使用方法を説明するための説明図である。
【図２０】上記指圧器具セットの使用方法を説明するための説明図であり、人体の背面からみた主指圧器具及び副指圧器具の位置関係を示す。
【図２１】上記副指圧器具の斜視図である。
【図２２】上記副指圧器具の側面図である。
【図２３】図２２のＸＸＩＩＩ矢視図である。
【図２４】図２２のＸＸＩＶ矢視図である。
【図２５】上記副指圧器具の斜視図である。
【図２６】上記副指圧器具の側面図である。
【図２７】図２６のＸＸＶＩＩ矢視図である。
【図２８】図２６のＸＸＶＩＩＩ矢視図である。
【図２９】実施例に係る他の指圧器具セットの使用方法を説明するための説明図である。
【図３０】上記指圧器具セットの使用方法を説明するための説明図であり、人体の背面からみた主指圧器具、補助指圧器具及び副指圧器具の位置関係を示す。
【図３１】上記補助指圧器具の斜視図である。
【図３２】上記補助指圧器具の平面図である。
【図３３】図３２のＸＸＸＩＩＩ矢視図である。
【図３４】図３２のＸＸＸＩＶ−ＸＸＸＩＶ線断面図である。
【図３５】上記補助指圧器具を構成する外周側押圧体（非弾性変形状態の弾性体）の斜視図である。
【図３６】上記外周側押圧体の平面図である。
【図３７】図３６のＸＸＸＶＩＩ−ＸＸＸＶＩＩ線断面図である。
【図３８】図３６のＸＸＸＶＩＩＩ−ＸＸＸＶＩＩＩ線断面図である。
【図３９】図３６のＸＸＸＩＸ−ＸＸＸＩＸ線断面図である。
【図４０】上記補助指圧器具の組付方法を説明するための説明図であり、（ａ）は心棒及び外周側押圧体を第１紐で縛り付けた状態を示し、（ｂ）は心棒及び外周側押圧体を第２紐で縛り付けた状態を示し、（ｃ）は外周側押圧体の一対の脚部を第３紐で縛り付けた状態を示す。
【図４１】他の形態に係る外周側押圧体（非弾性変形状態の弾性体）を説明するための説明図であり、（ａ）は幅広部及び幅狭部を備える形態を示し、（ｂ）は底面側に面状のテーパ部を備える形態を示す。
【図４２】上記指圧器具セットの作用を説明するための説明図である。
【図４３】他の形態に係る指圧器具セットを説明するための説明図である。
【図４４】更なる他の形態に係る指圧器具セットを説明するための説明図である。
【図４５】変形例１に係る指圧器具セットを説明するための説明図である。
【図４６】上記指圧器具セットの使用方法を説明するための説明図であり、人体の上半身の背面からみた主指圧器具及び副指圧器具の位置関係を示す。
【図４７】上記副指圧器具の斜視図である。
【図４８】上記副指圧器具の側面図である。
【図４９】図４８のＸＬＩＸ矢視図である。
【図５０】図４８のＬ矢視図である。
【図５１】変形例２に係る指圧器具セットを説明するための説明図である。
【図５２】上記指圧器具セットの使用方法を説明するための説明図であり、人体の脚部の背面からみた副指圧器具の位置関係を示す。
【図５３】人体の脚部の各部のツボを説明するための説明図である。
【図５４】上記指圧器具セットの使用方法を説明するための説明図であり、人体の脚部の正面からみた副指圧器具の位置関係を示す。
【図５５】上記副指圧器具の斜視図である。
【図５６】上記副指圧器具の側面図である。
【図５７】図５６のＬＶＩＩ矢視図である。
【図５８】図５６のＬＶＩＩＩ矢視図である。
【図５９】変形例３に係る指圧器具セットを説明するための説明図である。
【図６０】上記指圧器具セットの使用方法を説明するための説明図であり、人体の上半身の背面からみた主指圧器具及び補助指圧器具の位置関係を示す。
【図６１】上記指圧器具セットの作用を説明するための説明図である。
【図６２】変形例４にかかる指圧器具の使用方法を説明するための説明図である。
【図６３】上記指圧器具の使用方法を説明するための説明図であり、人体の背面からみた指圧器具の位置関係を示す。
【図６４】人体の各部のツボを説明するための説明図である。
【図６５】人体の各部のツボを説明するための説明図である。
【図６６】人体の頭部及び肩部のツボを説明するための説明図である。
【発明を実施するための形態】
【００１３】
＜指圧器具＞
本実施形態に係る指圧器具は、人体の頭部及び肩部の局所を押圧するための指圧器具（１）であって、心棒（２）と、心棒の軸方向の端側に設けられる軸端側押圧体（３）と、心棒の外周側に心棒の軸方向と交差して設けられる長尺状の第１外周側押圧体（４）と、心棒の外周側に心棒の軸方向と交差して設けられるとともに、心棒（２）の軸端側押圧体（３）と第１外周側押圧体（４）との間に配置される長尺状の第２外周側押圧体（５）と、を備え、第１外周側押圧体（４）及び第２外周側押圧体（５）のそれぞれは、心棒（２）の外周面に沿う湾曲部（４ａ、５ａ）と、湾曲部の両端側から延びる一対の脚部（４ｂ、４ｃ、５ｂ、５ｃ）と、を備える（例えば、図１〜図４等参照）。
【００１４】
なお、上記心棒（２）の材質、形状、大きさ等は特に問わない。この心棒の材質としては、例えば、木、竹や籐等の植物（編み加工品を含む。）、ゴムやエラストマ等の弾性材料、合成樹脂、金属等が挙げられる。
【００１５】
上記軸端側押圧体（３）の材質、形状、大きさ等は特に問わない。この軸端側押圧体の材質としては、例えば、ゴムやエラストマ等の弾性材料、木、竹や籐等の植物（編み加工品を含む。）、合成樹脂、金属等が挙げられる。なお、上記軸端側押圧体は、例えば、心棒に対して別体で設けられていてもよいし、心棒に対して一体で設けられていてもよい。この軸端側押圧体は、例えば、木製の心棒の軸端側を山型に加工して形成されることができる。
【００１６】
上記第１及び第２外周側押圧体（４、５）の材質、形状、大きさ等は特に問わない。これら第１及び第２外周側押圧体は、例えば、同じ材質や形状で形成されていてもよいし、異なる材質や形状で形成されていてもよい。また、第１及び第２外周側押圧体の材質としては、例えば、ゴムやエラストマ等の弾性材料、木、竹や籐等の植物（編み加工品を含む。）、合成樹脂、金属等が挙げられる。なお、上記第１及び第２外周側押圧体は、例えば、心棒に対して別体で設けられていてもよいし、心棒に対して一体で設けられていてもよい。
【００１７】
本実施形態に係る指圧器具としては、例えば、上記心棒（２）の外周側に心棒の軸方向と交差して設けられるとともに、心棒（２）の第１外周側押圧体（４）と第２外周側押圧体（５）との間に配置される長尺状の第３外周側押圧体（６）を備え、第３外周側押圧体（６）は、心棒（２）の外周面に沿う湾曲部（６ａ）と、湾曲部の両端側から延びる一対の脚部（６ｂ、６ｃ）と、を備える形態（例えば、図１等参照）が挙げられる。
【００１８】
本実施形態に係る指圧器具としては、例えば、上記軸端側押圧体（３）、第１外周側押圧体（４）及び第２外周側押圧体（５）のそれぞれは、弾性材料を用いて形成されている形態（例えば、図１等参照）が挙げられる。
【００１９】
本実施形態に係る指圧器具としては、例えば、上記軸端側押圧体（３）は、心棒（２）の軸方向の外方に向かって凸となる半円柱状、半球体状又は錐体状に形成されている形態（例えば、図１及び図１３等参照）が挙げられる。この場合、例えば、上記軸端側押圧体（３）は、心棒（２）の軸回り又は前記心棒（２）の軸と平行な軸回りに回転可能に設けられていることができる（例えば、図４等参照）。
【００２０】
本実施形態に係る指圧器具としては、例えば、上記第１外周側押圧体（４）及び第２外周側押圧体（５）の軸方向と直交する各断面形状は、心棒（２）の遠心側に向かって凸となる凸形状に形成されている形態（例えば、図１等参照）が挙げられる。
【００２１】
本実施形態に係る指圧器具としては、例えば、上記第１外周側押圧体（４）の一対の脚部（４ｂ、４ｃ）のなす交差角度（θ１）は、第２外周側押圧体（５）の一対の脚部（５ｂ、５ｃ）のなす交差角度（θ２）よりも大きい形態（例えば、図４等参照）が挙げられる。なお、上記第１外周側押圧体の一対の脚部のなす交差角度（θ１）としては、例えば、１２０〜１７０度が挙げられる。また、上記第２外周側押圧体の一対の脚部のなす交差角度（θ２）としては、例えば、３０〜７０度が挙げられる。
【００２２】
本実施形態に係る指圧器具としては、例えば、上記第１外周側押圧体（４）の一対の脚部（４ｂ、４ｃ）及び第２外周側押圧体（５）の一対の脚部（５ｂ、５ｃ）を設置面（１０）上に接地させたときに、心棒（２）は、設置面に対して上下方向に傾斜する形態（例えば、図２及び図１５等参照）が挙げられる。なお、上記心棒の設置面に対する傾斜角度としては、例えば、５〜６０度が挙げられる。
【００２３】
本実施形態に係る指圧器具としては、例えば、上記第１外周側押圧体（４）の一対の脚部（４ｂ、４ｃ）及び第２外周側押圧体（５）の一対の脚部（５ｂ、５ｃ）を設置面（１０）上に接地させたときに、第１外周側押圧体（４）は、第２外周側押圧体（５）よりも設置面（１０）から頂点までの高さが低い形態（例えば、図２等参照）が挙げられる。
【００２４】
本実施形態に係る指圧器具としては、例えば、上記第１外周側押圧体（４）は、第２外周側押圧体（５）よりも平面視の長尺方向の長さが長い形態（例えば、図３等参照）が挙げられる。
【００２５】
＜指圧器具セット＞
本実施形態に係る指圧器具セットは、上記実施形態に係る指圧器具（１）により構成される左右の主指圧器具と、左右の副指圧器具と、を備える指圧器具セット（２０）であって、副指圧器具は、心棒（３０、４０）と、心棒の外周側に前記心棒の軸方向と交差して並設される長尺状の第１外周側押圧体（３１、４１）及び第２外周側押圧体（３２、４２）と、を備え、第１外周側押圧体及び第２外周側押圧体のそれぞれは、心棒の外周面に沿う湾曲部（３１ａ、４１ａ、３２ａ、４２ａ）と、湾曲部の両端側から延びる一対の脚部（３１ｂ、３１ｃ、４１ｂ、４１ｃ、３２ｂ、３２ｃ、４２ｂ、４２ｃ）と、を備える（例えば、図２１及び図２５等参照）。そして、副指圧器具は、人体の腰部の局所を押圧するための第１副指圧器具（２１）、人体の大腿つけ根部の局所を押圧するための第２副指圧器具（２２）、人体の背部の局所を押圧するための第３副指圧器具（２３）、人体の下腿下部の局所を押圧するための第４副指圧器具（２４）、人体の足首の局所を押圧するための第５副指圧器具（２５）、人体の足の局所を押圧するための第６副指圧器具（２６）、及び人体の大腿下部の局所を押圧するための第７副指圧器具（２７）のうちの少なくとも１種を含む（例えば、図１９及び図２０等参照）。
【００２６】
本実施形態に係る指圧器具セットとしては、例えば、上記副指圧器具（２１〜２３）において、第１外周側押圧体（３１）の一対の脚部（３１ｂ、３１ｃ）及び第２外周側押圧体（３２）の一対の脚部（３２ｂ、３２ｃ）を設置面（１０）上に接地させたときに、第１外周側押圧体（３１）は、第２外周側押圧体（３２）よりも設置面から頂点までの高さが低い形態（例えば、図２２等参照）が挙げられる。
【００２７】
本実施形態に係る指圧器具セットとしては、例えば、上記副指圧器具（２１〜２３）において、第１外周側押圧体（３１）は、第２外周側押圧体（３２）よりも平面視の長尺方向の長さが短い形態（例えば、図２３等参照）が挙げられる。
【００２８】
本実施形態に係る指圧器具セットとしては、例えば、上記副指圧器具（２１〜２７）において、第１外周側押圧体（３１、４１）と第２外周側押圧体（３２、４２）とは、側面同士が接するように配置されている形態（例えば、図２３及び図２７等参照）が挙げられる。
【００２９】
＜指圧器具セットの配置構造＞
本実施形態に係る指圧器具セットの配置構造は、上記実施形態に係る指圧器具セット（２０）を設置面（１０）上に配置してなる指圧器具セットの配置構造であって、主指圧器具（１）は、設置面上の仮想線（１１）で区画される左右の領域に並設されているとともに、設置面の平面視で仮想線に対して心棒（２）の軸端側押圧体（３）側の一方の軸端側が他方の軸端側よりも近づくように心棒（２）が傾斜して配置されており、副指圧器具（２１〜２７）は、設置面上の仮想線（１１）で区画される左右の領域に並設されているとともに、設置面の平面視で仮想線に対して心棒（３０、４０）が傾斜して又は平行に配置されている（例えば、図１９等参照）。
【００３０】
＜他の指圧器具セット＞
本実施形態に係る他の指圧器具セットは、上記実施形態に係る指圧器具（１）により構成される左右の主指圧器具と、補助指圧器具と、を備える指圧器具セット（５０）であって、補助指圧器具は、心棒（５４）と、心棒の外周側に心棒の軸方向と交差して並設される長尺状の一対の外周側押圧体（５５）と、を備え、外周側押圧体（５５）は、心棒（５４）の外周面に沿う第１湾曲部（５５ａ）と、第１湾曲部の一端側から延びる一方の脚部（５５ｂ）と、湾曲部の他端側から直線状に延びる直線状部（５５ｃ）と、直線状部の端側に一端側が接続される第２湾曲部（５５ｄ）と、第２湾曲部の他端側から延びる他方の脚部（５５ｅ）と、を備え、第１湾曲部（５５ａ）には、直線状部（５５ｃ）の厚さよりも薄肉の薄肉部（５８）及び薄肉部と直線状部とを連絡する傾斜面部（５９）が形成されている（例えば、図３１及び図３２等参照）。そして、補助指圧器具は、人体の腰部及び臀部の局所を押圧するための第１補助指圧器具（５１）、及び人体の背部の局所を押圧するための第２補助指圧器具（５２）のうちの少なくとも１種を含む（例えば、図２９及び図３０等参照）。なお、本実施形態に係る他の指圧器具セットは、例えば、上記実施形態に係る指圧器具セットと組み合わせて用いることができる。
【００３１】
＜指圧器具セットの配置構造＞
本実施形態に係る指圧器具セットの配置構造は、上記実施形態に係る指圧器具セット（５０）を設置面（１０）上に配置してなる指圧器具セットの配置構造であって、主指圧器具（１）は、設置面上の仮想線（１１）で区画される左右の領域に並設されているとともに、設置面の平面視で仮想線に対して心棒（２）の軸端側押圧体（３）側の一方の軸端側が他方の軸端側よりも近づくように心棒（２）が傾斜して配置されており、補助指圧器具（５１、５２）は、設置面上の仮想線（１１）に対して心棒（５４）が直交して該仮想線を跨ぐように配置されている（例えば、図２９等参照）。
【００３２】
なお、上記実施形態で記載した各構成の括弧内の符号は、後述する実施例に記載の具体的構成との対応関係を示すものである。
【実施例】
【００３３】
以下、図面を用いて実施例により本発明を具体的に説明する。【００３４】
＜指圧器具＞
（１）指圧器具の構成
本実施例に係る指圧器具１は、図１〜図５に示すように、人体の頭部及び肩部の局所を押圧するためのものであり、心棒２と、心棒２に設けられる軸端側押圧体３、第１外周側押圧体４、第２外周側押圧体５及び第３外周側押圧体６と、を備えている。この心棒２は、木製であり、円柱状に形成されている。また、心棒２の直径は、約５０ｍｍとされている。また、軸端側押圧体３及び第１〜第３外周側押圧体４〜６のそれぞれは、ゴム等の弾性材料を用いて形成されている。【００３５】
上記軸端側押圧体３は、心棒２の軸方向の端側に設けられている。この軸端側押圧体３は、心棒２の軸方向に直交して延びて心棒２の軸方向の外方に向かって凸となる半円柱状に形成されている（図１参照）。具体的に、軸端側押圧体３は、半径３０ｍｍで長さ８０〜１２０ｍｍの半円柱体状に形成されている。また、軸端側押圧体３は、その長手方向の中央部が釘やネジ等の締結材８により心棒２の軸端面側に取り付けられている。さらに、軸端側押圧体３は、心棒２の軸回りに所定の角度範囲（例えば、鉛直方向に対して±３０度）で回転可能に設けられている（図４参照）。【００３６】
上記第１外周側押圧体４は、長尺状に形成されており、心棒２の外周側に心棒２の軸方向と直交して設けられている。この第１外周側押圧体４は、ストレート状の弾性体９（図６参照）を心棒２の外周面に沿って曲げて紐１５で縛り付けることで心棒２に取り付けられている。この弾性体９は、半径３０ｍｍ、長さ２５０ｍｍの半円柱状に形成されている。また、第１外周側押圧体４は、心棒２の外周面に沿う湾曲部４ａと、湾曲部４ａの両端側から延びる一対の脚部４ｂ、４ｃと、を備えている。これら一対の脚部４ｂ、４ｃのなす交差角度θ１は、１２０〜１７０度の広広角とされている（図４参照）。さらに、第１外周側押圧体３の軸方向と直交する断面形状は、心棒２の遠心側に向かって凸となる凸形状（具体的に、半円形状）に形成されている。【００３７】
上記第２外周側押圧体５は、長尺状に形成されており、心棒２の外周側に心棒２の軸方向と直交して設けられている。この第２外周側押圧体５は、心棒２の軸端側押圧体３と第１外周側押圧体４との間に配置されている。また、第２外周側押圧体５は、ストレート状の弾性体９（図６参照）を心棒２の外周面に沿って曲げて紐１５で縛り付けることで心棒２に取り付けられている。この弾性体９は、半径３０ｍｍ、長さ２５０ｍｍの半円柱状に形成されている。また、第２外周側押圧体５は、心棒２の外周面に沿う湾曲部５ａと、湾曲部５ａの両端側から延びる一対の脚部５ｂ、５ｃと、を備えている。これら一対の脚部５ｂ、５ｃのなす交差角度θ２は、３０〜７０度の狭狭角とされている（図４参照）。すなわち、上記第１外周側押圧体４の一対の脚部４ｂ、４ｃのなす交差角度θ１は、第２外周側押圧体５の一対の脚部５ｂ、５ｃのなす交差角度θ２よりも大きい。さらに、第２外周側押圧体５の軸方向と直交する断面形状は、心棒２の遠心側に向かって凸となる凸形状（具体的に、半円形状）に形成されている。【００３８】
上記第３外周側押圧体６は、長尺状に形成されており、心棒２の外周側に心棒２の軸方向と直交して設けられている。この第３外周側押圧体６は、心棒２の第１外周側押圧体４と第２外周側押圧体５との間に配置されている。また、第３外周側押圧体６は、ストレート状の弾性体９（図６参照）を心棒２の外周面に沿って曲げて紐１５で縛り付けることで心棒２に取り付けられている。この弾性体９は、半径２５ｍｍ、長さ２２０ｍｍの半円柱状に形成されている。また、第３外周側押圧体６は、心棒２の外周面に沿う湾曲部６ａと、湾曲部６ａの両端側から延びる一対の脚部６ｂ、６ｃと、を備えている。これら一対の脚部６ｂ、６ｃのなす交差角度θ１は、１２０〜１７０度の広広角とされている（図４参照）。さらに、第３外周側押圧体６の軸方向と直交する断面形状は、心棒２の遠心側に向かって凸となる凸形状（具体的に、半円形状）に形成されている。【００３９】
なお、本実施例では、半円柱状の弾性体９を例示したが、これに限定されず、例えば、図７（ａ）に示すように、底面側に凹部が形成された弾性体９を採用したり、図７（ｂ）に示すように、底面側が角柱状に形成された弾性体９を採用したりしてもよい。【００４０】
ここで、図２に示すように、第１外周側押圧体４の一対の脚部４ｂ、４ｃ及び第２外周側押圧体５の一対の脚部５ｂ、５ｃを設置面１０上に接地させたときに、心棒２は、設置面１０に対して上下方向に傾斜する。具体的に、心棒２は、軸端側押圧体３側の一方の軸端側が他方の軸端側よりも設置面１０から上方に離れるように傾斜する。この心棒２の設置面１０に対する傾斜角度は、約１０度とされている。さらに、第１外周側押圧体４の設置面１０からの高さＨ１は、第２外周側押圧体５の設置面１０からの高さＨ２よりも低い。さらに、図３に示すように、第１外周側押圧体４の平面視の長手方向の長さＬ１は、第２外周側押圧体５の平面視の長尺方向の長さＬ２よりも長い。【００４１】
なお、図８に示すように、各外周側押圧体４〜６の設置面１０からの各高さＨは、各外周側押圧体４、５、６の長さＬ１、曲げ角度θ、心棒２の直径ｄ、及び心棒２の軸方向長さＬ２等を調整することで設定される。そして、各外周側押圧体４〜６の高さの組み合わせにより、心棒２の設置面１０に対する傾斜角度が決まる。【００４２】
また、上記指圧器具１を設置面１０上に接地させたときに、第１外周側押圧体４の重さにより第２外周側押圧体５の接地点を中心として傾動して第１外周側押圧体４が設置面１０に接地する。この第１外周側押圧体４が接地することで、使用者が頭部を載せた際の指圧器具１の設置面１０上での移動が規制される。【００４３】
（２）指圧器具の作用
次に、上記構成の指圧器具１の作用（使用方法）について説明する。なお、図１０に示されるように、人体の頭部には、風池Ｐ１、天柱（後頸部の第１点）Ｐ２、盆のくぼ（あ門）Ｐ３、乳様突起の下の神経スポットＰ４等の目の疲れ、肩こり（「neck pain」とも称される。）、頭痛、脳の働きの活性化などに効く重要なツボが集まっている一帯が存在Ｂ１する。この一帯Ｂ１は、頭蓋骨と筋とのつなぎ点であるため、疲れが貯まる箇所である。この一帯Ｂ１を押すことにより、頭部の疲労がとれる。一方、人体の肩部には、後頸部及び側頸部の第４点Ｐ５や肩甲上部のツボＰ６等の肩こりなどに効く重要なツボが集まっている一帯Ｂ２が存在する。この一帯Ｂ２は、肩部の骨と筋のつなぎ点であるため、疲れが貯まる箇所である。この一帯Ｂ２を押すことにより、肩部の疲労が取れる。【００４４】
上記指圧器具１を、図９に示すように、設置面１０上の仮想線１１で区画される左右の領域のそれぞれに並設するとともに、設置面１０の平面視で仮想線１１に対して心棒２の軸端側押圧体３側の一方の軸端側が他方の軸端側よりも近づくように心棒２を傾斜させて配置する。この状態より、図１０及び図１１に示すように、使用者が仰向け又は横向きで指圧器具１上に頭部を載せると、第１及び第３外周側押圧体４、６により後頭部が押圧され支持された状態で、第２外周側押圧体５により頭蓋骨と筋とのつなぎ点となる一帯Ｂ１が押圧されるとともに、軸端側押圧体３により肩部の骨と筋のつなぎ点となる一帯Ｂ２が押圧される。【００４５】
具体的に、第１及び第３外周側押圧体４、６の一方の脚部４ｂ、６ｂ（４ｃ、６ｃ）上面側に後頭部が載せられて、後頭部のツボが柔らかく上方向に押圧される。また、仰向け時には、ラインＬ１（図１０参照）に沿うように、第２外周側押圧体５の一方の脚部５ｂ（５ｃ）の側面側が側頸部の第１点Ｐ４やその近傍に横方向に押し当てられるとともに、軸端側押圧体３の前面側が側頸部の第４点Ｐ５や肩甲上部のツボＰ６に心棒２の軸方向に押し当てられる。一方、横向き時には、ラインＬ２（図１０参照）に沿うように、第２外周側押圧体５の一方の脚部５ｂ（５ｃ）の側面側が後頸部の第１点Ｐ２やその近傍に横方向に押し当てられるとともに、軸端側押圧体３の前面側が後頸部の第４点Ｐ５や肩甲上部のツボＰ６に心棒２の軸方向に押し当てられる。そして、仰向けと横向きを入れ替えて、各ツボを満遍なく押圧することで肩こりが緩和又は解消する。【００４６】
（３）実施例の効果
本実施例の指圧器具１によると、心棒２と、心棒２の軸方向の端側に設けられる軸端側押圧体３と、心棒２の外周側に心棒２の軸方向と交差して設けられる長尺状の第１外周側押圧体４と、心棒２の外周側に心棒２の軸方向と交差して設けられるとともに、心棒２の軸端側押圧体３と第１外周側押圧体４との間に配置される長尺状の第２外周側押圧体５と、を備え、第１外周側押圧体４及び第２外周側押圧体５のそれぞれは、心棒２の外周面に沿う湾曲部４ａ、５ａと、湾曲部４ａ、５ａの両端側から延びる一対の脚部４ｂ、４ｃ、５ｂ、５ｃと、を備える。これにより、例えば、使用者が仰向け又は横向きで指圧器具１上に頭部を載せると、第１外周側押圧体４により後頭部が押圧され支持された状態で、第２外周側押圧体５により頭蓋骨と筋とのつなぎ点となる一帯Ｂ１が押圧されるとともに、軸端側押圧体３により肩部の骨と筋のつなぎ点となる一帯Ｂ２が押圧される。特に、軸端側押圧体３により肩こり緩和に最も効く肩甲上部のツボＰ６を正確に押圧できる。その結果、肩こりを効果的に緩和、解消又は予防することができる。【００４７】
上述のように、肩甲上部のツボＰ６を軸端側押圧体３で正確に押圧することで、何もかも忘れて、体中に疲労解放感がかけめぐり、極楽の境地になる。また、肩こりが確実に緩和又は解消されることで、安眠効果が得られて不眠症予防になる。そのため、指圧器具１は、安眠・熟睡用の枕として利用できる。また、第２外周側押圧体５により乳様突起等の神経スポットＰ４を正確に押圧できるため、体中の神経活性化が図られることで、脳の活性化（即ち、ボケ防止）とともに体中の細胞活性化が図られて、免疫力が向上する。【００４８】
また、本実施例では、心棒２の外周側に心棒２の軸方向と交差して設けられるとともに、心棒２の第１外周側押圧体４と第２外周側押圧体５との間に配置される長尺状の第３外周側押圧体６を備え、第３外周側押圧体６は、心棒２の外周面に沿う湾曲部６ａと、湾曲部６ａの両端側から延びる一対の脚部６ｂ、６ｃと、を備える。これにより、例えば、第１外周側押圧体４と第３外周側押圧体６で後頭部を柔らかく押圧できる。また、後頭部押しも気持ち良いツボなので、気持ち良さも倍増する。さらに、頭部指圧によりボケ防止や認知症予防が図られる。【００４９】
また、本実施例では、軸端側押圧体３、第１外周側押圧体４及び第２外周側押圧体５のそれぞれは、弾性材料を用いて形成されている。これにより、指圧器具１上に人体の頭部を載せると、その重力により各押圧体３〜５が弾性変形すること及びそれら自身が柔らかいことで、筋肉が解されたり血行がよくされたりして指圧効果と同様の効果が得られる。【００５０】
また、本実施例では、軸端側押圧体３は、心棒２の軸方向の外方に向かって凸となる半円柱状に形成されている。これにより、軸端側押圧体３の長手方向に沿って押圧範囲を広く設定できるため、軸端側押圧体３により肩甲上部のツボＰ６を押圧し易い。そのため、素人が自分自身の体のケアを熟練者並にしっかりと実施できる。特に、本実施例では、軸端側押圧体３は、心棒２の軸回りに回転可能に設けられている。これにより。肩甲上部のツボＰ６の位置に応じて軸端側押圧体３を回転させて位置調整できる。【００５１】
また、本実施例では、第１外周側押圧体４及び第２外周側押圧体５の軸方向と直交する各断面形状は、心棒２の遠心側に向かって凸となる凸形状に形成されている。これにより、第１及び第２外周側押圧体４、５により人体の頭部の局所を効果的に押圧できる。【００５２】
また、本実施例では、第１外周側押圧体４の一対の脚部４ｂ、４ｃのなす交差角度θ１は、第２外周側押圧体５の一対の脚部５ｂ、５ｃのなす交差角度θ２よりも大きい。これにより、各押圧体３〜５により人体の頭部及び肩部の局所を効果的に押圧できる。【００５３】
また、本実施例では、第１外周側押圧体４の一対の脚部４ｂ、４ｃ及び第２外周側押圧体５の一対の脚部５ｂ、５ｃを設置面１０上に接地させたときに、心棒２は、設置面１０に対して上下方向に傾斜する。これにより、各押圧体３〜５により人体の頭部及び肩部の局所を効果的に押圧できる。【００５４】
また、本実施例では、第１外周側押圧体４の一対の脚部４ｂ、４ｃ及び第２外周側押圧体５の一対の脚部５ｂ、５ｃを設置面１０上に接地させたときに、第１外周側押圧体４は、第２外周側押圧体５よりも設置面１０からの高さが低い。これにより、各押圧体３〜５により人体の頭部及び肩部の局所を効果的に押圧できる。【００５５】
さらに、本実施例では、第１外周側押圧体４は、第２外周側押圧体５よりも平面視の長尺方向の長さが長い。これにより、各押圧体３〜５により人体の頭部及び肩部の局所を効果的に押圧できる。【００５６】
尚、本発明においては、上記実施例に限られず、目的、用途に応じて本発明の範囲内で種々変更した実施例とすることができる。すなわち、上記実施例では、指圧器具１上に人体の後頭部を載せる形態を例示したが、これに限定されず、例えば、図１２に示すように、横向き時又はうつ伏せ時に指圧器具１上に顔面を載せて顔面指圧を実施してもよい。特に、前頭部と眼部の指圧は、意識をすっきりさせてくれるので、起床時や寝覚め時に非常に有効である。また、前頭部指圧と乳様突起指圧は、認知症予防につながると考えられている。目の指圧は、目の疲労回復や視力回復につながる。顔面指圧は、顔の皮膚のハリを良くして、顔を元気に若返らす。【００５７】
さらに、上記実施例では、左右一対の指圧器具１を用いる指圧形態を例示したが、これに限定されず、例えば、単一の指圧器具を用いる指圧形態としてもよい。【００５８】
また、上記実施例では、半円柱状の軸端側押圧体３を例示したが、これに限定されず、例えば、図１３に示すように、心棒２の軸方向の外方に向かって凸となる半球体状又は錐体状に形成された軸端側押圧体３を採用してもよい。【００５９】
また、上記実施例では、第３外周側押圧体６と第２外周側押圧体５とが離間し、第２外周側押圧体５と軸端側押圧体３とが離間する形態を例示したが、これに限定されず、例えば、図１４に示すように、第３外周側押圧体６と第２外周側押圧体５とを連接させたり、第２外周側押圧体５と軸端側押圧体３とを連接させたりしてもよい。さらに、例えば、第１外周側押圧体４と第３外周側押圧体６とを離間させてもよい。さらに、各押圧体の離間間隔にスペーサを介装するようにしてもよい。【００６０】
また、上記実施例では、指圧器具１の設置面１０への設置状態で、心棒２は、軸端側押圧体３側の一方の軸端側が他方の軸端側よりも設置面１０から上方に離れるように傾斜する形態を例示したが、これに限定されず、例えば、図１５に示すように、指圧器具１の設置面１０への設置状態で、心棒２は、一方の軸端側が軸端側押圧体３側の他方の軸端側よりも設置面１０から上方に離れるように傾斜するようにしてもよい。さらに、例えば、指圧器具１の設置面１０への設置状態で、心棒２は、設置面１０に対して平行となるようにしてもよい。【００６１】
また、上記実施例では、第１〜第３外周側押圧体４〜６を備える形態を例示したが、これに限定されず、例えば、図１６に示すように、第３外周側押圧体６を備えずに、第１及び第２外周側押圧体４、５を備えるようにしてもよい。さらに、第１〜第３外周側押圧体４〜６に加えて他の外周側押圧体を備えるようにしてもよい。【００６２】
さらに、上記実施例では、単一の弾性体９から構成される外周側押圧体４〜６を例示したが、これに限定されず、例えば、図１７及び図１８に示すように、複数の弾性体１３を並設して構成される外周側押圧体４〜６としてもよい。この場合、例えば、横幅ｗと半径ｒの比較的小さな弾性体１３を複数並設することで、柔らかい指圧を実現できる。なお、心棒２における第２外周側押圧体５と軸端側押圧体３との間には、両者を離間状態に保持するためのスペーサ１７を介装してもよい。【００６３】
＜指圧器具セット＞
次に、本実施例に係る指圧器具セットについて説明するが、上記実施例に係る指圧器具１で説明した構成と略同じ部位には同じ符号を付けて詳説を省略する。【００６４】
（１）指圧器具セットの構成
本実施例に係る指圧器具セット２０は、図１９及び図２０に示すように、上記指圧器具１（図１参照）により構成される左右の主指圧器具を備えている。この指圧器具セット２０は、人体の腰部の局所を押圧するための左右の第１副指圧器具２１と、人体の大腿つけ根部の局所を押圧するための左右の第２副指圧器具２２と、人体の背部の局所を押圧するための左右の第３副指圧器具２３と、人体の下腿下部の局所を押圧するための左右の第４副指圧器具２４と、人体の足首の局所を押圧するための左右の第５副指圧器具２５と、人体の足の局所を押圧するための左右の第６副指圧器具２６と、人体の大腿下部の局所を押圧するための第７副指圧器具２７と、を備えている。【００６５】
なお、上記第１〜第３副指圧器具は、略同じ構成であるため、図２１〜図２４等を用いて以下にまとめて説明する。さらに、上記第４〜第７副指圧器具は、略同じ構成であるため、図２５〜図２８等を用いて以下にまとめて説明する。【００６６】
上記第１〜第３副指圧器具２１〜２３は、図２１〜図２４に示すように、心棒３０と、心棒３０の外周側に設けられる第１外周側押圧体３１及び第２外周側押圧体３２と、を備えている。この心棒３０は、木製であり、円柱状に形成されている。また、心棒３０の直径は、第１及び第２副指圧器具２１、２２では約５０ｍｍとされおり、第３副指圧器具２３では約４０ｍｍとされている。さらに、第１及び第２外周側押圧体３１、３２のそれぞれは、ゴム等の弾性材料を用いて形成されている。【００６７】
上記第１外周側押圧体３１は、長尺状に形成されており、心棒３０の外周側に心棒３０の軸方向と直交して設けられている。この第１外周側押圧体３１は、ストレート状の弾性体９（図６参照）を心棒３０の外周面に沿って曲げて紐１５で縛り付けることで心棒３０に取り付けられている。この弾性体９は、半径２５ｍｍで長さ２２０ｍｍの半円柱状に形成されている。また、第１外周側押圧体３１は、心棒３０の外周面に沿う湾曲部３１ａと、湾曲部３１ａの両端側から延びる一対の脚部３１ｂ、３１ｃと、を備えている。これら一対の脚部３１ｂ、３１ｃのなす交差角度θは、第１及び第２副指圧器具２１、２２では３０〜７０度の狭狭角とされており、第３副指圧器具用２３では１２０〜１７０度の広広角とされている（図２４参照）。さらに、第１外周側押圧体３１の軸方向と直交する断面形状は、心棒３０の遠心側に向かって凸となる凸形状（具体的に、半円形状）に形成されている。【００６８】
上記第２外周側押圧体３２は、長尺状に形成されており、心棒３０の外周側に心棒３０の軸方向と直交して設けられている。この第２外周側押圧体３２は、ストレート状の弾性体９（図６参照）を心棒３０の外周面に沿って曲げて紐１５で縛り付けることで心棒３０に取り付けられている。この弾性体９は、半径３０ｍｍで長さ２５０ｍｍの半円柱状に形成されている。また、第２外周側押圧体３２は、心棒３０の外周面に沿う湾曲部３２ａと、湾曲部３２ａの両端側から延びる一対の脚部３２ｂ、３２ｃと、を備えている。これら一対の脚部３２ｂ、３２ｃのなす交差角度θは、第１及び第２副指圧器具２１、２２では３０〜７０度の狭狭角とされており、第３副指圧器具２３では１２０〜１７０度の広広角とされている（図２４参照）。さらに、第２外周側押圧体３２の軸方向と直交する断面形状は、心棒３０の遠心側に向かって凸となる凸形状（具体的に、半円形状）に形成されている。【００６９】
なお、第１〜第３副指圧器具２１〜２３においては、各押圧体３１、３２の半径や長さが異なっているため、同じ交差角度で心棒３０に縛っても、設置面１０上で心棒３０が少し斜めに傾き、段差ができる。ただし、各押圧体３１、３２の交差角度を異ならせることで、心棒３０の傾斜角度を大きくできる。【００７０】
ここで、上記第１〜第３副指圧器具２１〜２３においては、図２２に示すように、第１外周側押圧体３１の一対の脚部３１ｂ、３１ｃ及び第２外周側押圧体３２の一対の脚部３２ｂ、３２ｃを設置面１０上に接地させたときに、心棒３０は、設置面１０に対して上下方向に傾斜する。さらに、第１外周側押圧体３１の設置面１０からの高さＨ１は、第２外周側押圧体３２の設置面１０からの高さＨ２よりも低い。すなわち、第１〜第３副指圧器具２１〜２３の各押圧体３１、３２は、上下方向の段差を有している。また、図２３に示すように、第１外周側押圧体３１の平面視の長手方向の長さＬ１は、第２外周側押圧体３２の平面視の長尺方向の長さＬ２よりも短い。すなわち、第１〜第３副指圧器具２１〜２３の各押圧体３１、３２は、平面視で段差を有している。さらに、第１外周側押圧体３１と第２外周側押圧体３２とは、側面同士が接するように配置されている。【００７１】
上記第４〜第７副指圧器具２４〜２７は、図２５〜図２８に示すように、心棒４０と、心棒４０の外周側に設けられる第１外周側押圧体４１及び第２外周側押圧体４２と、を備えている。この心棒４０は、木製であり、円柱状に形成されている。また、心棒４０の直径は、約４０ｍｍとされている。さらに、第１及び第２外周側押圧体４１、４２のそれぞれは、ゴム等の弾性材料を用いて形成されている。【００７２】
上記第１及び第２外周側押圧体４１、４２は、同じ形状・サイズで形成されている。これら各外周側押圧体４１、４２は、長尺状に形成されており、心棒４０の外周側に心棒４０の軸方向と直交して設けられている。各外周側押圧体４１、４２は、ストレート状の弾性体９（図６参照）を心棒４０の外周面に沿って曲げて紐１５で縛り付けることで心棒４０に取り付けられている。この弾性体９は、第４〜第６副指圧器具２４〜２６用として半径２５ｍｍの半円柱状に形成されており、第７副指圧器具２７用として半径３０ｍｍの半円柱状に形成されている。また、各外周側押圧体４１、４２は、心棒４０の外周面に沿う湾曲部４１ａ、４２ａと、湾曲部４１ａ、４２ａの両端側から延びる一対の脚部４１ｂ、４１ｃ、４２ｂ、４２ｃと、を備えている。これら一対の脚部４１ｂ、４１ｃ、４２ｂ、４２ｃのなす交差角度θは、第４及び第６副指圧器具２４、２６では１２０〜１７０度の広広角とされており、第５副指圧器具２５では７０〜９０度の狭角とされており、第７副指圧器具２７では約９０〜１１０度の広角とされている（図２８参照）。さらに、各外周側押圧体４１、４２の軸方向と直交する断面形状は、心棒４０の遠心側に向かって凸となる凸形状（具体的に、半円形状）に形成されている。【００７３】
ここで、上記第４〜第７副指圧器具２４〜２７においては、図２６に示すように、第１外周側押圧体４１の一対の脚部４１ｂ、４１ｃ及び第２外周側押圧体４２の一対の脚部４２ｂ、４２ｃを設置面１０上に接地させたときに、心棒４０は、設置面１０に対して平行となる。さらに、第１外周側押圧体４１の設置面からの高さＨは、第２外周側押圧体４２の設置面からの高さＨと同じとなる。また、図２７に示すように、第１外周側押圧体４１の平面視の長手方向の長さＬは、第２外周側押圧体４２の平面視の長尺方向の長さＬと同じとなる。さらに、第１外周側押圧体４１と第２外周側押圧体４２とは、側面同士が接するように配置されている。【００７４】
（２）指圧器具セットの作用
次に、上記構成の指圧器具セット２０の作用（使用方法）について説明する。なお、図６４及び図６５（著書「健康のいずみ指圧教室」（著者；浪越徹、昭和５４年初版発行）のＰ２２及びＰ２３の抜粋）に示されるように、人体には、例えば、後頭部のツボＰ１１、後頸部のツボＰ１２、側頸部のツボＰ１３、肩甲上部のツボＰ１４、肩甲間部のツボＰ１５、肩甲下部のツボＰ１６、腰部のツボＰ１７、腸骨稜上部のツボＰ１８、臀部のツボＰ１９、浪越圧点Ｐ２０、仙骨部のツボＰ２１、大腿後側部のツボＰ２２、大腿外側部のツボＰ２３、下腿後側部のツボＰ２４、下腿外側部のツボＰ２５、足部のツボＰ２６、脊柱起立筋部Ｐ２７等が存在する。【００７５】
上記指圧器具セット２０を、図１９に示すように、設置面１０上に配置する。具体的に、主指圧器具１を、設置面１０上の仮想線１１で区画される左右の領域のそれぞれに並設するとともに、設置面１０の平面視で仮想線１１に対して心棒２の軸端側押圧体３側の一方の軸端側が他方の軸端側よりも近づくように心棒２を傾斜させて配置する。また、第１〜第７副指圧器具２１〜２７を、設置面１０上の仮想線１１で区画される左右の領域のそれぞれに並設する。これら第１〜第３副指圧器具２１〜２３は、設置面１０の平面視で仮想線１１に対して心棒３０が傾斜しており、第４〜第７副指圧器具２４〜２７は、設置面１０の平面視で仮想線１１に対して心棒４０が平行となっている。また、上記第１副指圧器具２１は、図２０に示すように、人体の骨盤Ａ１の上部に配置され、第２副指圧器具２２は、人体の骨盤Ａ１の下部に配置され、第３副指圧器具２３は、人体の肩甲骨Ａ２の下部に配置される。なお、上記主指圧器具１及び各副指圧器具２１〜２７の配置位置は、使用者の体格等に応じて適宜調整して決められる。【００７６】
上述の指圧器具セット２０の設置面１０への設置状態で、図２０に示すように、使用者が仰向け又は横向きで主指圧器具１上に頭部を載せ、更に第１〜第７指圧器具２１〜２７上に人体の各部を載せると、主指圧器具１により肩こり対策がなされるとともに、第１〜第７副指圧器具２１〜２７により人体の各部の疲労対策がなされる。なお、主指圧器具１による肩こり対策の作用・効果は、上述した実施例に係る指圧器具１と略同様に奏されるため、以下に詳説を省略する。【００７７】
特に、段差付きの第１副指圧器具２１においては、図２０に示すように、第２外周側押圧体３２により最も重要なツボである腎兪Ｐ３２、志室Ｐ３３等が正確に押圧されるとともに、第１外周側押圧体３１により肩甲下部のツボが正確に押圧される。このように、肩こり取り、腰の疲労取りに大切なツボを細部にわたって正確に押圧することで、肩こり取り、腰の疲労取り効果が著しく向上される。特に、腎兪Ｐ３２、志室Ｐ３３のある腰部は、骨がなく押圧時に沈むので、より大きな段差付きであることが好ましい。さらに、腎兪Ｐ３２、志室Ｐ３３押しなどは、便秘防止効果が高い。また、第２副指圧器具２２により、大腿つけ根部が押圧されて腰の疲労が効果的に緩和又は解消される。また、左右の第２副指圧器具２２の間に空間が形成されるので、安眠時（特に、横寝時）に大腿の邪魔をしない。【００７８】
また、段差付きの第３副指圧器具２３においては、第２外周側押圧体３２により最も重要なツボである肝兪Ｐ３１が正確に押圧されるとともに、第１外周側押圧体３１により肩甲骨の側面や肩甲間部のツボが正確に押圧される。このように、肩こり取りに大切なツボを細部にわたって正確に押圧することで、肩こり取り効果が著しく向上される。さらに、第３副指圧器具２３により、ワキの下の三角筋、肩甲骨が押圧されるとともに、横向き時に肝兪Ｐ３１近傍が押圧されて腰の疲労が効果的に緩和又は解消される。【００７９】
また、第４〜第６副指圧器具２４〜２６により、仰向け寝時には、脚の三里のツボ、ふくらはぎ、下腿外側部、アキレス腱、足底部、くるぶし、腫骨後側部、腫骨外側部等が押圧される。一方、横向き寝時には、足部全体の足根部、足背部、足指、脚の三里のツボ、下腿外側部押しが可能となる。また、各副指圧器具２４〜２６上に両足を中心に寄せ合わせて正座すると、三里のツボ、下腿外側部、足根部、足背部等が強く押圧されて、極めて高い疲労回復の効果が得られる。その結果、下腿部及び足部全体がしっかり押圧される。これにより、血流がよくなり、冷え性が改善される。アキレス腱、くるぶし、足部全体をしっかり押圧すると足部の細部の筋肉がほぐれ、各部の細かい骨がよく動き、足指の地面をつかむ力が増し、これらによりけがに強くなる。よって、運動選手のけが防止や老人の転倒防止に効果的である。さらに、下腿及び足の疲労がよく取れ、足のむくみを解消するので、立ち仕事の方にも効果的である。さらに、第７副指圧器具２７により、腰から大腿の疲れが軽減される。よって、寝る時に第７副指圧器具２７を「脚枕」として使用することで、安眠熟睡に向かう効果がある。また、立ち仕事の人、足のむくむ人は、この一対の第７副指圧器具２７を置くだけで、日々の脚の疲れが軽減される。さらに、第２副指圧器具２２により大腿つけ根部が押圧されるとともに、第７指圧器具２７により大腿部のヒザ上あたりが押圧される。そのため、大腿部全体の疲れが取れる。【００８０】
（３）実施例の効果
本実施例の指圧器具セット２０によると、上述の指圧器具１により構成される左右の主指圧器具と、人体の腰部の局所を押圧するための第１副指圧器具２１と、人体の大腿のつけ根部の局所を押圧するための第２副指圧器具２２と、人体の背部の局所を押圧するための第３副指圧器具２３と、人体の下腿下部の局所を押圧するための第４副指圧器具２４と、人体の足首の局所を押圧するための第５副指圧器具２５と、人体の足の局所を押圧するための第６副指圧器具２６と、人体の大腿下部の局所を押圧するための第７副指圧器具２７と、を備える。これにより、例えば、使用者が仰向け又は横向きで主指圧器具１上に頭部を載せ、更に第１〜第７副指圧器具２１〜２７上に人体の各部を載せることで、主指圧器具１により肩こり対策がなされるとともに、第１〜第７副指圧器具２１〜２７により人体の各部の疲労対策がなされる。さらに、安眠・熟睡用の指圧器具セット２０として長時間使用できる。【００８１】
また、本実施例では、第１〜第３副指圧器具２１〜２３において、第１外周側押圧体３１の一対の脚部３１ｂ、３１ｃ及び第２外周側押圧体３２の一対の脚部３２ｂ、３２ｃを設置面１０上に接地させたときに、第１外周側押圧体３１は、第２外周側押圧体３２よりも設置面１０から頂点までの高さが低い。これにより、第１〜第３副指圧器具２１〜２３の各押圧体３１、３２は、上下方向に段差を有するので、より綿密で正確な２点指圧を実現できる。その結果、各押圧体３１、３２により人体の各部の局所を効果的に押圧できる。【００８２】
また、本実施例では、第１〜第３副指圧器具２１〜２３において、第１外周側押圧体３１は、第２外周側押圧体３２よりも平面視の長尺方向の長さが短い。これにより、第１〜第３副指圧器具２１〜２３の各押圧体３１、３２は、平面視で段差を有するので、より綿密で正確な２点指圧を実現できる。その結果、各押圧体３１、３２により人体の各部の局所を効果的に押圧できる。【００８３】
さらに、本実施例では、第１〜第７副指圧器具２１〜２７において、第１外周側押圧体３１、４１と第２外周側押圧体３２、４２とは、側面同士が接するように配置されている。これにより、小型な副指圧器具２１〜２７として設置面１０上に効果的に配置できる。すなわち、各押圧体３２、４２が連接されると、設置スペースが小さくなるので、より多くの指圧器具を並べることができる。そのため、より細かい押圧ができる。さらに、より柔らかい押圧を実現できるとともに、ツボを容易に探し当ててつかみ易くなる。【００８４】
尚、本発明においては、上記実施例に限られず、目的、用途に応じて本発明の範囲内で種々変更した実施例とすることができる。すなわち、上記実施例では、左右の主指圧器具１と左右の第１〜第７副指圧器具２１〜２７を備える指圧器具セット２０を例示したが、これに限定されず、例えば、図４３に示すように、左右の主指圧器具１と左右の第１副指圧器具２１とを備える指圧器具セット２０Ａとしたり、左右の主指圧器具１と左右の第２副指圧器具２２とを備える指圧器具セット２０Ｂとしたり、左右の主指圧器具１と左右の第３副指圧器具２３とを備える指圧器具セット２０Ｃとしたり、左右の主指圧器具１と左右の第４〜第６副指圧器具２４〜２６とを備える指圧器具セット２０Ｄとしたりしてもよい。【００８５】
さらに、上記実施例では、段差付きの第１〜第３副指圧器具２１〜２３とともに、段差なしの第４〜第７副指圧器具２４〜２７を例示したが、これに限定されず、例えば、段差なしの第１〜第３副指圧器具２１〜２３としたり、段差付きの第４〜第７副指圧器具２４〜２７としたりしてもよい。さらに、上記実施例では、各押圧体が連接される第１〜第７副指圧器具２１〜２７を例示したが、これに限定されず、例えば、各押圧体が離間される第１〜第７副指圧器具２１〜２７としてもよい。【００８６】
さらに、上記実施例では、心棒に対して各弾性体を縛り付けて形成される指圧器具１、２１〜２７（更に後述する指圧器具５１、５１）を例示したが、これに限定されず、例えば、竹細工や籐細工で一体に形成される指圧器具としてもよい。このような竹製や籐製の指圧器具であっても、人体を乗せれば歪み、弾性力を持っているので、指圧師の体の関節と同じ役目をするため、ゴム製と同じく効果的な指圧ができる。【００８７】
＜他の指圧器具セット＞
次に、本実施例に係る他の指圧器具セットについて説明するが、上記実施例に係る指圧器具１で説明した構成と略同じ部位には同じ符号を付けて詳説を省略する。【００８８】
（１）指圧器具セットの構成
本実施例に係る指圧器具セット５０は、図２９及び図３０に示すように、上述の指圧器具１（図１参照）により構成される左右の主指圧器具を備えている。この指圧器具セット５０は、人体の腰部及び臀部の局所を押圧するための第１補助指圧器具５１と、人体の背部の局所を押圧するための第２補助指圧器具５２と、を備えている。さらに、指圧器具セット５０は、人体の腰部の局所を押圧するための左右の第１副指圧器具２１と、人体の大腿つけ根部の局所を押圧するための左右の第２副指圧器具２２と、人体の下腿下部の局所を押圧するための左右の第４副指圧器具２４と、人体の足首の局所を押圧するための左右の第５副指圧器具２５と、人体の足の局所を押圧するための左右の第６副指圧器具２６と、人体の大腿下部の局所を押圧するための第７副指圧器具２７と、を備えている。【００８９】
なお、上記第１及び第２補助指圧器具は、略同じ構成であるため、図３１〜図３４等を用いて以下にまとめて説明する。【００９０】
上記第１及び第２補助指圧器具５１、５２のそれぞれは、図３１〜図３４に示すように、心棒５４と、心棒５４の外周側に心棒５４の軸方向と交差して並設される長尺状の一対の外周側押圧体５５と、を備えている。この心棒５４は、木製であり、円柱状に形成されている。また、心棒５４は、その直径が約６６ｍｍとされ、その軸方向長さが約３００ｍｍとされている。さらに、外周側押圧体５５は、ゴム等の弾性材料を用いて形成されている。【００９１】
上記外周側押圧体５５は、先端側が湾曲した略ストレート状の弾性体６３（図３５〜図３９参照）を心棒５４の外周面に沿って曲げて紐６６、６７、６８で縛り付けることで心棒５４に取り付けられている。この外周側押圧体５５は、軸方向と直交する断面形状が心棒の遠心側に向かって凸となる凸状に形成されている。また、外周側押圧体５５は、心棒５４の外周面に沿う第１湾曲部５５ａと、第１湾曲部５５ａの一端側から延びる一方の脚部５５ｂと、第１湾曲部５５ａの他端側から斜め下方に直線状に延びる直線状部５５ｃと、直線状部５５ｃの端側に一端側が接続される第２湾曲部５５ｄと、第２湾曲部５５ｄの他端側から延びる他方の脚部５５ｅと、を備えている。この第１湾曲部５５ａには、直線状部５５ｃの厚さよりも薄肉の薄肉部５８及び薄肉部５８と直線状部５５ｃとを連絡する傾斜面部５９が形成されている。【００９２】
上記第１湾曲部５５ａは、図３４に示すように、心棒５４の上面側に配されている。この第１湾曲部５５ａの裏面側には、軸方向に延びて傾斜面部５９を構成するリブ６０が設けられている（図３５参照）。このリブ６０の横面側には、湾曲状に延びる補強部６１が設けられている。そして、リブ６０の底面が心棒５４の外周面に接することで、第１湾曲部５５ａの表面側に凸状曲面部６２が形成される（図３２参照）。また、薄肉部５８の厚さは、２〜５ｍｍとされている。さらに、薄肉部５８は、直線状部５５ｃに比べて幅広状とされている。さらに、一方の脚部５５ｂは、設置面１０上に補助指圧器具５１、５２を配置した状態で直立状態となる。【００９３】
上記外周側押圧体５５の表面側には、紐６６〜６８を縛り付けるための円周方向に延びる溝部６４ａ、６４ｂが形成されている（図３７参照）。そして、溝部６４ａを介して第１紐６６で心棒５４と外周側押圧体５５とを縛り付け（図４０（ａ））、次に、第２紐６７を心棒５４及びに外周側押圧体５５に交差状に巻き付け（図４０（ｂ））、次いで、溝部６４ｂを介して第３紐６８を各脚部５５ｂ、５５ｅに巻き付け（図４０（ｃ））、心棒５４と外周側押圧体５５とが一体化される。また、外周側押圧体５５の左右間隔Ｗ（図３２参照）は、頭部の左右の耳の間隔に合わせた値（例えば、約１６０ｍｍ等）とされている。この左右間隔Ｗの値は、紐６６〜６８による心棒５４と外周側押圧体５５の締結状態を変更することで調整される。【００９４】
なお、本実施例では、第１〜第３紐６６〜６８を用いて心棒５４と外周側押圧体５５とを一体化する形態を例示したが、これに限定されず、例えば、第１〜第３紐６６〜６８のうちの１種又は２種の組み合わせを用いて心棒５４と外周側押圧体５５とを一体化したり、第１〜第３紐６６〜６８に加えて他の紐を用いて心棒５４と外周側押圧体５５とを一体化したりしてもよい。さらに、例えば、釘、ボルト、接着剤等の接合手段を用いて心棒５４と外周側押圧体５５とを一体化してもよい。【００９５】
また、本実施例では、一様な横幅を有する弾性体６３を例示したが、これに限定されず、例えば、図４１（ａ）に示すように、長手方向に沿って幅広部と幅狭部を備える弾性体６３としてもよい。さらに、本実施例では、傾斜面部５９を構成するリブ６０を備える弾性体６３を例示したが、これに限定されず、例えば、図４１（ｂ）に示すように、横幅方向にわたる傾斜面部５９を備える弾性体６３としてもよい。【００９６】
ここで、図３３及び図３４に示すように、外周側押圧体５５の人体の各部への当りＬは、直線状部５５ｃの長さ、第１湾曲部５５ａの長さ、第２湾曲部５５ｄの長さ、及び第２湾曲部５５ｄの曲率半径の値を変えることで調整される。また、外周側押圧体５５の設置面１０からの高さＨは、第２湾曲部５５ｄの長さ、第２湾曲部５５ｄの曲率半径、一方の脚部５５ｂの長さ、及び心棒５４の直径の値を変えることで調整される。【００９７】
（２）指圧器具セットの作用
次に、上記構成の指圧器具セット５０の作用（使用方法）について説明する。上記指圧器具セット５０を、図２９に示すように、設置面１０上に配置する。具体的に、主指圧器具１を、設置面１０上の仮想線１１で区画される左右の領域のそれぞれに並設するとともに、設置面１０の平面視で仮想線１１に対して心棒２の軸端側押圧体３側の一方の軸端側が他方の軸端側よりも近づくように心棒２を傾斜させて配置する。また、第１及び第２補助指圧器具５１、５２を、仮想線１１に対して心棒５４が直交して該仮想線１１を跨ぐように配置する。この第１補助指圧器具５４は、第２湾曲部５５ｄの一端側に連なる脚部５５ｅが主指圧器具１側を向いており、第２補助指圧器具５２は、第１湾曲部５５ａの一端側に連なる脚部５５ｂが主指圧器具１側を向いている。【００９８】
さらに、各副指圧器具２１、２２、２４〜２７を、設置面１０上の仮想線１１で区画される左右の領域のそれぞれに並設する。これら第１及び第２副指圧器具２１、２２は、設置面１０の平面視で仮想線１１に対して心棒３０が傾斜しており、第４〜第７副指圧器具２４〜２７は、設置面１０の平面視で仮想線１１に対して心棒４０が平行となっている。また、上記第１副指圧器具２１は、図３０に示すように、人体の骨盤Ａ１の上部に配置され、第２副指圧器具２２は、人体の骨盤Ａ１の下部に配置される。なお、上記主指圧器具１、各補助指圧器具５１、５２及び各副指圧器具２１、２２、２４〜２７の配置位置は、使用者の体格等に応じて適宜調整して決められる。【００９９】
上述の指圧器具セット５０の設置面１０への設置状態で、図３０に示すように、使用者が仰向け又は横向きで主指圧器具１上に頭部を載せ、更に各補助指圧器具５１、５２及び各副指圧器具２１、２２、２４〜２７上に人体の各部を載せると、主指圧器具１により肩こり対策がなされるとともに、各補助指圧器具５１、５２及び各副指圧器具２１、２２、２４〜２７により人体の各部の疲労対策がなされる。なお、主指圧器具１による肩こり対策並びに各副指圧器具２１、２２、２４〜２７の疲労対策の作用・効果は、上述した実施例に係る指圧器具１及び指圧器具セット２０と略同様に奏されるため、以下に詳説を省略する。【０１００】
特に、図３０及び図４２に示すように、第１補助指圧器具５１においては、直線状部５５ｃにより腰部のツボや腎兪Ｐ３２が押圧されて体（脊柱）が支持された状態で、第１湾曲部５５ａ（特に、凸状曲面部６２、傾斜面部５９の表面側）により人体の臀部のツボ（例えば、仙骨部、浪越圧点、腸骨稜上部のツボ等）が押圧されるとともに、第２湾曲部５５ｄにより人体の腰部や肩甲下部のツボが押圧される。さらに、直線状部５５ｃ、第１湾曲部５５ａ及び第２湾曲部５５ｄにより腰部全体が上方に持ち上げられてストレッチされる。そして、斜めに下がる比較的長い直線状部５５ｃで体が支持されているので、痛くならずに長時間でもストレッチを実施できる。その結果、腰痛を効果的に緩和、解消又は予防することができる。なお、直線状部５５ｃで腎兪Ｐ３２を軽く押圧すると、スーと気が鼻を抜け通る感じがして、腰全体の疲れが一気に消滅する。【０１０１】
上述のように、腰骨を第１補助指圧器具５１により上方に持ち上げて腰全体をストレッチさせることで、腰全体の筋肉が伸びて疲労回復をさせると同時に、腰の可動域が大きくなる。腰痛が起きるのは、腰の筋肉が疲労して、筋肉本来の持つ伸縮ができなくなり、筋肉が棒のようになり、そこで腰を曲げると圧迫力が全て骨に向かい、骨が異形となってしまう。これによって、腰痛が引き起こされる。よって、腰の筋肉を一日一回はストレッチして、柔軟にして、伸縮可能にもっていくことが大切である。若いうちは、筋肉が柔らかく伸縮性が高いが、年を取ってくると筋肉は固くなり伸縮性が乏しくなってくる。特に高齢で運動不足でストレッチ不足の人は要注意である。そこで、第１補助指圧器具５１によると、第１湾曲部５５ａで最も強く押すべき腰痛に効く重要なツボ（例えば、仙骨部、浪越圧点、腸骨稜上部のツボ等）が押圧される。さらに、斜めに下り比較的長い直線状部５５ｃで体を支持するので、痛みが出ず、気持ち良く、長時間でもストレッチができる。さらに、第１湾曲部５５ａから離れたツボを第２湾曲部５５ｄで柔らかく押圧するので、２つのツボが刺激されて気持ち良さが倍増する。さらに、これら第１湾曲部５５ａ、第２湾曲部５５ｄ及び直線状部５５ｃの多数の部位で支持するので、押圧箇所の横方向への安定性は高い。【０１０２】
さらに、第２補助指圧器具５２においては、図３０及び図４２に示すように、直線状部５５ｃにより腰部や肩甲下部のツボが押圧されて体（脊柱）が支持された状態で、第１湾曲部５５ａ（特に、凸状曲面部６２、傾斜面部５９の表面側）により背部のツボ（例えば、肝兪Ｐ３１、肩甲間部のツボ等）が押圧されるとともに、第２湾曲部５５ｄにより腰部や肩甲下部のツボが押圧される。さらに、直線状部５５ｃ、第１湾曲部５５ａ及び第２湾曲部５５ｄにより背部全体が上方に持ち上げられてストレッチされる。特に、肝兪Ｐ３１を押すことにより、背中が逆方向にストレッチされることで、猫背が矯正され、姿勢もよくなる。さらに、肝兪Ｐ３１の近傍の三角筋は、非常に疲れているので気持ちよく、横向き時には脇の下の三角筋押しになる。その結果、猫背が効果的に緩和、解消又は予防されるとともに、肩こりも緩和、解消又は予防される。【０１０３】
（３）実施例の効果
本実施例の指圧器具セット５０によると、上述の指圧器具１により構成される左右の主指圧器具と、人体の腰部及び臀部の局所を押圧するための第１補助指圧器具５１と、人体の背部の局所を押圧するための第２補助指圧器具５２と、を備える。これにより、例えば、使用者が仰向け又は横向きで主指圧器具１上に頭部を載せ、更に補助指圧器具５１、５２上に人体の各部を載せることで、主指圧器具１により肩こり対策がなされるとともに、補助指圧器具５１、５２により人体の各部の疲労対策がなされる。【０１０４】
尚、本発明においては、上記実施例に限られず、目的、用途に応じて本発明の範囲内で種々変更した実施例とすることができる。すなわち、上記実施例では、左右の主指圧器具１と第１及び第２補助指圧器具５１、５２と左右の各副指圧器具２１、２２、２４〜２７を備える指圧器具セット５０を例示したが、これに限定されず、例えば、図４４に示すように、左右の主指圧器具１と第１補助指圧器具５１を備える指圧器具セット５０Ａとしたり、左右の主指圧器具１と第２補助指圧器具５２を備える指圧器具セット５０Ｂとしたり、左右の主指圧器具１と第１及び第２補助指圧器具５１、５２を備える指圧器具セット５０Ｃとしたりしてもよい。さらに、例えば、左右の主指圧器具１と第１補助指圧器具５１と左右の第１副指圧器具２１を備える指圧器具セット５０Ｄとしたり、左右の主指圧器具１と第１補助指圧器具５１と左右の第２副指圧器具２２を備える指圧器具セット５０Ｅとしたりしてもよい。【０１０５】
さらに、上記実施例では、第２湾曲部５５ｄの一端側に連なる脚部５５ｅが主指圧器具１側を向く第１補助指圧器具５１とともに、第１湾曲部５５ａの一端側に連なる脚部５５ｂが主指圧器具１側を向く第２補助指圧器具５２を例示したが、これに限定されず、例えば、第１湾曲部５５ａの一端側に連なる脚部５５ｂが主指圧器具１側を向く第１補助指圧器具５１としたり、第２湾曲部５５ｄの一端側に連なる脚部５５ｅが主指圧器具１側を向く第２補助指圧器具５２としたりしてもよい。【０１０６】
＜各実施例について＞
本実施例の指圧器具１及び指圧器具セット２０、５０によると、素人が自分自身の体のケアを熟練者並にしっかりと実施することができる。例えば、毎日好きな時間に、肩こり取りができ、肩こり知らずに過ごすことができる。よって、肩こりからくる病気を未然に防ぎ、医療費削減に貢献することができる。また、本指圧器具１によると、使用者は、頭部及び肩部を複数点で同時に押圧されることで、頭部に一人、肩部に一人の、合計二人の指圧師により指圧されている感覚を受ける。また、第１外周側押圧体４上に使用者の頭部をのせて体重の一部をかけることで、第２外周側押圧体５の一方の脚部の側面により乳用突起の近傍の神経スポットが押圧されて強い指圧効果を得ることができる。また、各外周側押圧体の横幅を大きくすることで、本指圧器具１による肩こりを安眠・熟睡用枕として長時間使用することもできる。さらに、第２外周側押圧体５の一方の脚部の側面で乳用突起の近傍の神経スポットをとらえて押圧することは、生命エネルギーの源のツボをとらえて押圧することとなるので、すばらしい健康増進効果が得られる。【０１０７】
上記乳用突起の近傍の神経スポットは、神経の万能、スーパースポットである。全身に通じ、全身の神経が活性化する。また、生命エネルギーの発生スイッチ、健康エネルギーの発生スイッチでもある。ここを毎日押圧することは、体をより健康に、精神をより安定させる。さらに、神経の流れをスムーズに整え、健康にする。【０１０８】
一方、指圧師による指圧では、指圧師は、一方のヒザの支点を軸として、指表面を通して、自分の体重をかけて、被指圧体に対して圧力の強弱を与える。この指圧師による指圧面積は、親指の先端部分であり、比較的小さい。これに対して、本指圧器具セット２０、５０によると、各指圧器具に対して、被指圧者の体重による圧力が分散してかかる。これら各指圧器具の指圧面積は、外周側押圧体等の凸面であり、指圧師の親指による指圧面積に比べて大きい。そして、人間が指圧器具の上にのる形となるので、強い押圧力が得られ、しかも長時間一定した押圧力が得られる。これに比べ指圧師による指圧は、小さな押圧力で、しかも指圧師が疲れてくるので長時間安定した押圧力の維持は無理である。【０１０９】
そして、本指圧器具１及び指圧器具セット２０、５０では、大きな押圧力を得られるため、指圧師と同等の押圧力を得る場合、親指よりも大きな凸面積（すなわち、指圧面積）で押圧できることになる。指圧面積が大きいので、ツボの位置をあまり知らない素人が、アバウトで押圧しても、ツボが指圧面積内に入り易い。その結果、プロの指圧師と同じツボを簡単に押圧できる。すなわち、「素人でも、プロ並みの指圧効果が出せる」指圧器具１及び指圧器具セット２０、５０となった。また、本指圧器具１及び指圧器具セット２０、５０では、長時間一定した押圧ができることから、指圧圧力を小さくすることにより、睡眠用の安眠熟睡枕や安眠熟睡ベッドの開発にも応用できる。なお、指圧師は、一日４〜５人を指圧すると、体が疲れてしまうが、本指圧器具１及び指圧器具セット２０、５０を指圧師自身の体のケアとして使用できる。【０１１０】
さらに、本指圧器具セット２０、５０によると、被指圧者の主要部を押圧出来るので、「腰痛、腰曲がり、猫背、便秘、脚の疲れ、内臓疲労等、体全体のコリ取りと疲労取り」に効果が、如実に出てくる。また、頭部、肩部、背筋部、腰部、臀部の、合計５人の指圧師が同時に指圧してくれているのと同じ指圧効果が出る。【０１１１】
なお、マッサージは世界中で、古代からある。これは人類が、全身の筋肉のコリと疲れをなくしたいからである。本指圧器具セット２０、５０を使用すれば、他人から指圧（マッサージを含む。）を受けなくても、同等もしくはそれ以上の効果を、自分自信で、好きな時間と場所で、自分自身の体のケアができる。【０１１２】
さらに、本指圧器具１及び指圧器具セット２０、５０を用いて他人に指圧をサービスする場合、多数の被指圧人を一人で管理できる。また、指圧人は指圧のツボを少し習うことにより、指圧サービスが可能になる。これにより、大幅に、指圧料金が下がる。指圧料金が下がると、指圧をする人が大幅に増える。途上国であっても指圧を受ける機会が増える。そうすると、途上国で指圧の仕事が増え、雇用増加につながり、国民の生活がより良くなり、その国のＧＤＰも上がる。【０１１３】
ここで、「指圧」とは、指で（指を通して）圧を加えることである。また、自己指圧の場合、自己指圧のおしかたのコツは、指先に力を入れずに、体全体のバランスをとり、徐々に圧を入れ、徐々に圧を抜くことである。また、指圧のおしかたは、必ず、皮膚面に垂直におす。さらに、指圧師のおしかたは、指先に力を入れずに、指先を通して、指圧師の体重を応用して、圧を入れる。その圧が、皮膚から筋肉に、気持ちよくじんわりと浸透すると、効果がある。いわゆる、指圧の圧は、体重という「自然力」を応用して、圧を加えることである。【０１１４】
そして、本指圧器具１及び指圧器具セット２０、５０では、指圧師の「手の皮膚の柔らかさ」を表現するために、体との接点に、弾性材料からなる押圧体を使っている。また、加える圧の強弱により、押圧体の構造を変えることができる。【０１１５】
また、指圧師の体重圧をじんわりと手の皮膚に伝えるためには、指圧師の「指、手首、肘、肩の関節の柔軟性」が指圧の必須条件で、ここに「指圧の真髄」がある。よって、本指圧器具１では、「関節の柔軟性」を表現するために、接地するための脚部を設け、なおかつ体との接点から接地面の脚部までが、単一の弾性材料で形成されている。体重圧を加えることにより、押圧体の脚部の構造物全体が変形して、関節の役目を果たす。【０１１６】
また、本指圧器具１及び指圧器具セット２０、５０では、指圧師の体重の代わりに、自分自信の「体重を利用して」指圧器具上にのせかけて押圧する。自身の体重を利用できることが、真の自然力の活用になり、真の自然力の活用こそが、指圧の真髄である。なお、良い指圧師とは、自分の体重を１００％活用して、「体重力」により圧力の大小の変化を与えて指圧できることである。【０１１７】
一方、指圧師の指圧は、被指圧人は薄着１枚になって、寝ている。これは、被指圧人が一切の体の力を抜いて、脱力状態で寝ているために、１００％安定した状態と言える。指圧師は自分の体重圧を１００％活用できる状態になる。これに対して、立ったり、座ったりしている状態は、自分がその姿勢を維持するために力を使っている。こういうのは真の指圧ではなく、按摩、マッサージと呼ばれる。本指圧器具１及び指圧器具セット２０、５０によると、使用者は完全に脱力して指圧器具上に乗りかかる。本当の指圧である。また、本指圧器具１及び指圧器具セット２０、５０は、「素人が自分の体のツボを探せる道具」でもある。また、本指圧器具１は、体と接する押圧部分が全てＲ曲面になっている。さらに、本指圧器具１は、ＸＹＺ軸方向全てに容易に動き調整できる。体の押圧する部位や、押圧力の強弱を調整できる。【０１１８】
また、指圧のおしかたは、必ず、皮膚面に垂直におす。指圧であるから皮膚の接点は一点である。ツボは点であり、線で押圧しても、ツボが押圧出来ず、指圧効果は出ない。線で押すのはたんなるマッサージしか出来ない。これに対して、本指圧器具１は、体との接点部分が、必ずＲ曲面の一点で接しており、力方向は接線に垂直となる。つまり、皮膚に垂直に押している。【０１１９】
また、本指圧器具１は、弾性体で出来ており、４本の脚部で接地の安定性を保っているために、指圧器具は動かず安定して、上述のような使用者自身の体重を利用した押圧の実行を可能にしている。要するに、１００％の体重力の自然力を活用することができる。仮に、体重力の受け手である器具が動いては、体重力を１００％活用出来ない。これは指圧ではない。【０１２０】
また、本指圧器具１では、肩コリの大元である、乳様突起の周辺の頭部と肩甲上部の周辺の肩部を同時に押圧できる事に特化しており、それにより肩こりを画期的に軽減することを目的としたものである。【０１２１】
さらに、本指圧器具１及び指圧器具セット２０、５０によると、肉体の健康ばかりでなく、「精神の健康も促進される」：意識をリラックスさせる効果がある。指圧器具上に体をのせかけて、完全に、１００％脱力した状態になる。「脱力すると、意識がリラックスする」。のんびり露天温泉に浸かっている時や、満天の星空に引き込まれる時などのように、意識がリラックスする。日常、意識が緊張の中で生きている人ほど、意識をリラックスさせる時が必要不可欠である。意識の緊張時とリラックス時が２ツあって、始めて精神の健康が保たれる。一日の体の疲れを取り、意識をリラックスできる、本指圧器具（セルフケア万能指圧器具）は、人間の「肉体と精神」の健康な生活にとって、必要品である。【０１２２】
＜変形例１＞
（１）指圧器具セットの構成
上記実施例の指圧器具セット２０では、一対の外周側押圧体３１、３２を備える左右の第１副指圧器具２１（図１９及び図２０参照）を採用したが、本変形例１の指圧器具セット２０’では、図４５及び図４６に示すように、第１外周側押圧体３１、第２外周側押圧体３２及び第３外周側押圧体３３を備える左右の第１副指圧器具２１’を採用する。【０１２３】
上記第１副指圧器具２１’は、図４７〜図５０に示すように、心棒３０と、心棒３０の外周側に設けられる第１〜第３外周側押圧体３１〜３３と、を備えている。この心棒３０は、木製であり、円柱状に形成されている。また、心棒３０は、直径が約５０ｍｍとされ、長さが約２５０ｍｍとされている。さらに、第１〜第３外周側押圧体３１〜３３のそれぞれは、ゴム等の弾性材料を用いて形成されている。【０１２４】
上記第１〜第３外周側押圧体３１〜３３は、長尺状に形成されており、心棒３０の外周側に心棒３０の軸方向と直交して設けられている。これら第１〜第３外周側押圧体３１〜３３は、ストレート状の弾性体９（図６参照）を心棒３０の外周面に沿って曲げて紐１５で縛り付けることで心棒３０に取り付けられている。また、第１及び第３外周側押圧体３１、３３の各弾性体９は、半径２５ｍｍで長さ２２０ｍｍの半円柱状に形成されている。さらに、第２外周側押圧体３２の各弾性体９は、半径３０ｍｍで長さ２２０ｍｍの半円柱状に形成されている。【０１２５】
上記第１〜第３外周側押圧体３１〜３３は、心棒３０の外周面に沿う湾曲部３１ａ〜３３ａと、湾曲部３１ａ〜３３ａの両端側から延びる一対の脚部３１ｂ〜３３ｂ、３１ｃ〜３３ｃと、を備えている。これら第１〜第３外周側押圧体３１〜３３の各一対の脚部３１ｂ〜３３ｂ、３１ｃ〜３３ｃのなす交差角度θは、１２０〜１７０度の広広角とされている（図５０参照）。さらに、第１〜第３外周側押圧体３１〜３３の軸方向と直交する断面形状は、心棒３０の遠心側に向かって凸となる凸形状（具体的に、半円形状）に形成されている。なお、心棒３０や各押圧体３１〜３３の大きさ、形状、配置形態等は、使用者の体格に応じて調整される。【０１２６】
ここで、上記第１副指圧器具２１’においては、図４８に示すように、各一対の脚部３１ｂ〜３３ｂ、３１ｃ〜３３ｃを設置面１０上に接地させたときに、心棒３０は、設置面１０に対して略平行となっている。さらに、第１及び第３外周側押圧体３１、３３の設置面１０からの高さＨ１は、略同じ値であり、第２外周側押圧体３２の設置面１０からの高さＨ２よりも低い。すなわち、第１及び第３外周側押圧体３１、３３と第２外周側押圧体３２とは、上下方向の段差を有している。また、図４９に示すように、第１及び第３外周側押圧体３１、３３の平面視の長手方向の長さＬ１は、略同じ値であり、第２外周側押圧体３２の平面視の長尺方向の長さＬ２よりも短い。すなわち、第１及び第３外周側押圧体３１、３３と第２外周側押圧体３２とは、平面視で段差を有している。さらに、第１外周側押圧体３１と第２外周側押圧体３２とは、側面同士が接するように配置されている。一方、第３外周側押圧体３３と第２外周側押圧体３２とは、側面同士が離間するように配置されている。【０１２７】
（２）指圧器具セットの作用効果
本変形例１の指圧器具セット２０’によると、上記実施例の指圧器具セット２０と略同様の作用効果を奏する。すなわち、指圧器具セット２０’の設置面１０への設置状態で、使用者が仰向け又は横向きで主指圧器具１上に頭部を載せ、更に第１〜第７指圧器具２１’〜２７上に人体の各部を載せると、主指圧器具１により肩こり対策がなされるとともに、第１〜第７副指圧器具２１’〜２７により人体の各部の疲労対策がなされる。【０１２８】
特に、図４６に示すように、段差付きの第１副指圧器具２１’においては、第１外周側押圧体３１により腸骨稜上部のツボＰ１８等が正確に押圧されるとともに、第２外周側押圧体３２により最も重要なツボである腎兪Ｐ３２、志室Ｐ３３等が正確に押圧され、更に第３外周側押圧体３３により肩甲下部のツボＰ１６等が押圧される。これにより、背筋痛（「back pain」とも称される。）や腰痛を効果的に緩和、解消又は予防できる。特に、痛みを伴わないソフトな腰痛取りを実現できる。【０１２９】
また、本変形例１では、第１副指圧器具２１’において、第１〜第３外周側押圧体３１〜３３の一対の脚部３１ｂ〜３３ｂ、３１ｃ〜３３ｃを設置面１０上に接地させたときに、第２外周側押圧体３２は、第１及び第３外周側押圧体３１、３３よりも設置面１０から頂点までの高さが高い。これにより、各押圧体３１〜３３は、上下方向に段差を有するので、より綿密で正確な指圧を実現できる。【０１３０】
また、本変形例１では、第１副指圧器具２１’において、第２外周側押圧体３２は、第１及び第３外周側押圧体３１、３３よりも平面視の長尺方向の長さが短い。これにより、各押圧体３１〜３３は、平面視で段差を有するので、より綿密で正確な指圧を実現できる。【０１３１】
さらに、本実施例では、第１副指圧器具２１’において、第１外周側押圧体３１と第２外周側押圧体３２とは、側面同士が接するように配置されており、第３外周側押圧体３３と第２外周側押圧体３２とは、側面同士が離間するように配置されている。これにより、小型な副指圧器具２１’として設置面１０上に効果的に配置でき、より細かい押圧ができる。さらに、より柔らかい押圧を実現できるとともに、ツボを容易に探し当ててつかみ易くなる。【０１３２】
＜参考例１＞
従来の指圧器具（例えば、特許文献１及び２等参照）では、心棒の外周側に同じ形状・サイズの一対の弾性体を単純に設けているので、指圧器具上に人体の背部や腰部を載せても、背筋痛や腰痛を効果的に解消できない。【０１３３】
本参考例１は、上記現状に鑑みてなされたものであり、背筋痛及び腰痛を効果的に緩和、解消又は予防することができる指圧器具、指圧器具セット及びその配置構造を提供することを目的とする。【０１３４】
本参考例１は、以下の通りである。
１．人体の腰部の局所を押圧するための指圧器具（２１’）であって、心棒（３０）と、心棒の外周側に心棒の軸方向と交差して設けられる長尺状の第１外周側押圧体（３１）、第２外周側押圧体（３２）及び第３外周側押圧体（３３）と、を備え、第１〜第３外周側押圧体のそれぞれは、心棒の外周面に沿う湾曲部（３１ａ〜３３ａ）と、湾曲部の両端側から延びる一対の脚部（３１ｂ〜３３ｂ、３１ｃ〜３３ｃ）と、を備えることを特徴とする。これにより、例えば、使用者が仰向け又は横向きで指圧器具上に腰部を載せると、第１外周側押圧体により腸骨稜上部のツボ（Ｐ１８）等が正確に押圧されるとともに、第２外周側押圧体により最も重要なツボである腎兪（Ｐ３２）、志室（Ｐ３３）等が正確に押圧され、更に第３外周側押圧体により肩甲下部のツボ（Ｐ１６）等が押圧される。これにより、背筋痛（「back pain」とも称される。）や腰痛を効果的に緩和（例えば、ソフト腰痛取り）、解消又は予防できる。
２．第１〜第３外周側押圧体（３１〜３３）の一対の脚部を設置面上に接地させたときに、第２外周側押圧体（３２）は、第１及び第３外周側押圧体（３１、３３）よりも設置面から頂点までの高さが高い上記１．記載の指圧器具。
３．第２外周側押圧体（３２）は、第１及び第３外周側押圧体（３１、３３）よりも平面視の長尺方向の長さが長い上記１．又は２．に記載の指圧器具。
４．第１外周側押圧体（３１）と第２外周側押圧体（３２）とが、側面同士が接するように配置されており、第３外周側押圧体（３３）と第２外周側押圧体（３２）とが、側面同士が離間するように配置されている上記１．乃至３．のいずれか一項に記載の指圧器具。
５．上記１．乃至４．のいずれか一項に記載の指圧器具により構成される左右の主指圧器具（２１’）と、左右の副指圧器具と、を備える指圧器具セット（２０’）であって、副指圧器具は、心棒と、心棒の外周側に心棒の軸方向と交差して並設される長尺状の第１外周側押圧体及び第２外周側押圧体と、を備え、第１及び第２外周側押圧体のそれぞれは、心棒の外周面に沿う湾曲部と、湾曲部の両端側から延びる一対の脚部と、を備え、副指圧器具は、人体の臀部の局所（特に、浪越圧点（Ｐ２０））を押圧するための第２副指圧器具（２２）、及び人体の背部の局所を押圧するための第３副指圧器具（２３）のうちの少なくとも１種を含むことを特徴とする指圧器具セット。
６．上記５．に記載の指圧器具セット（２０’）を設置面（１０）上に配置してなる指圧器具セットの配置構造であって、主指圧器具（２１’）は、設置面上の仮想線（１１）で区画される左右の領域に並設されており、設置面の平面視で該仮想線に対して心棒が傾斜して又は平行に配置されていることを特徴とする指圧器具セットの配置構造。【０１３５】
＜変形例２＞
（１）指圧器具セットの構成
上記実施例の指圧器具セット２０では、一対の外周側押圧体４１、４２を備える左右の第４副指圧器具２４（図１９及び図２０参照）を採用したが、本変形例２の指圧器具セット２０"では、図５１及び図５２に示すように、第１外周側押圧体４１、第２外周側押圧体４２及び第３外周側押圧体４３を備える左右の第４副指圧器具２４’を採用する。【０１３６】
上記第４副指圧器具２４’は、図５５〜図５８に示すように、心棒４０と、心棒４０の外周側に設けられる第１〜第３外周側押圧体４１〜４３と、を備えている。この心棒４０は、木製であり、円柱状に形成されている。また、心棒４０は、直径が約５０ｍｍとされ、長さが約２５０ｍｍとされている。さらに、第１〜第３外周側押圧体４１〜４３のそれぞれは、ゴム等の弾性材料を用いて形成されている。【０１３７】
上記第１〜第３外周側押圧体４１〜４３は、長尺状に形成されており、心棒４０の外周側に心棒４０の軸方向と直交して設けられている。これら第１〜第３外周側押圧体４１〜４３は、ストレート状の弾性体９（図６参照）を心棒４０の外周面に沿って曲げて紐１５で縛り付けることで心棒４０に取り付けられている。また、第１〜第３外周側押圧体４１〜４３の各弾性体９は、半径２５ｍｍで長さ２２０ｍｍの半円柱状に形成されている。【０１３８】
上記第１〜第３外周側押圧体４１〜４３は、心棒４０の外周面に沿う湾曲部４１ａ〜４３ａと、湾曲部４１ａ〜４３ａの両端側から延びる一対の脚部４１ｂ〜４３ｂ、４１ｃ〜４３ｃと、を備えている。これら第１〜第３外周側押圧体４１〜４３の各一対の脚部４１ｂ〜４３ｂ、４１ｃ〜４３ｃのなす交差角度θ１は、１２０〜１７０度の広広角とされている（図５８参照）。さらに、第１〜第３外周側押圧体４１〜４３の軸方向と直交する断面形状は、心棒４０の遠心側に向かって凸となる凸形状（具体的に、半円形状）に形成されている。なお、心棒４０や各押圧体４１〜４３の大きさ、形状、配置形態等は、使用者の体格に応じて調整される。【０１３９】
ここで、上記第４副指圧器具２４’においては、図５６に示すように、各一対の脚部４１ｂ〜４３ｂ、４１ｃ〜４３ｃを設置面１０上に接地させたときに、心棒４０は、設置面１０に対して略平行となっている。さらに、第１〜第３外周側押圧体４１〜４３の設置面１０からの高さＨ１は、略同じ値である。また、図５７に示すように、第１〜第３外周側押圧体４１〜４３の平面視の長手方向の長さＬ１は、略同じ値である。さらに、第１外周側押圧体４１と第２外周側押圧体４２とは、側面同士が離間するように配置されている。さらに、第３外周側押圧体４３と第２外周側押圧体４２とは、側面同士が離間するように配置されている。【０１４０】
（２）指圧器具セットの作用効果
本変形例２の指圧器具セット２０"によると、上記実施例の指圧器具セット２０と略同様の作用効果を奏する。すなわち、指圧器具セット２０"の設置面１０への設置状態で、使用者が仰向け又は横向きで主指圧器具１上に頭部を載せ、更に第１〜第７指圧器具２１〜２７上に人体の各部を載せると、主指圧器具１により肩こり対策がなされるとともに、第１〜第７副指圧器具２１〜２７により人体の各部の疲労対策がなされる。【０１４１】
特に、図５３及び図５４に示すように、副指圧器具２７上にひざ頭を置き、各副指圧器具２４’〜２６上に両足を中心に寄せ合わせて正座すると、副指圧器具２４’により下腿外側部のツボＰ２５等が正確に押圧されるとともに、副指圧器具２５により足根部のツボＰ４２等が正確に押圧され、更に副指圧器具２６により足背部のツボＰ４３等が正確に押圧される。その結果、人体の脚部において極めて高い疲労回復の効果が得られる。さらに、各副指圧器具２４’〜２６上に両足を中心に寄せ合わせて正座すると、中心に寄せようという力が働くためにＯ脚の矯正力が出る。なお、図５３に示すように、人体の脚部には、例えば、膝関節周囲部のツボＰ４１、下腿外側部のツボＰ２５、足根部のツボＰ４２、足背部のツボＰ４３、足指のツボＰ４４等が存在する。【０１４２】
ここで、上述の指圧器具セット２０"（Ｏ脚矯正指圧セット２０"）について、「人体の骨格」図を見て欲しい。手と足を比較して欲しい。手は器用に物を掴み、字も書けるし、箸を持って食事もできる。これは手根骨、中手骨、手指骨がよく動けるからである。もしこれらの骨が動かなければ、手は非常に不便になる。同じことを足の骨に比較する。足根骨、中足骨、足指骨はどうでしょう？手の骨程には動かず、手のように細かい作業はできない。この原因は足の骨を、手の骨のように、普段から細かく動かさないからである。もし足の骨が手の骨のように細かく動いたら、地面を掴む力が増し、老人の転倒防止につながり、運動選手の足の怪我防止につながる。足の骨を動かすようにするには、足根部と足背部と足指のストレッチが必然的に有効である。Ｏ脚矯正指圧セットの上に正座したり、後ろに反り返ることで、体重力により、膝関節周囲部や脚の三里のツボや下腿外側部の押圧、足根部や足背部や足指のストレッチができる。反対に仰向けになって、Ｏ脚矯正指圧セットの上に脚を載せると、ふくらはぎやアキレス腱や腫骨後側部や腫骨外側部や腫骨内側部を押圧できる。正座と仰向けの両方を合わせることで、ますます地面を掴む力が倍増し、老人の転倒防止につながり、運動選手の足の怪我防止につながる。足の血流も良くなり冷え性を改善する。【０１４３】
さらに、上述の指圧器具セット２０"（Ｏ脚矯正指圧セット２０"）の適用範囲について、Ｏ脚矯正指圧セットの上に正座したり、後ろに反り返ることで、直ぐに、眠気が取れ、疲れが取れ、活力が回復する。オフィスに置いて従業員の眠気覚まし、疲労取り、活力回復を「数分」で行う。街のマッサージ店に置けば、「５分疲労回復」を低料金で営業できる。自宅に置けば、仕事や外出から戻ったら、「数分」で疲労を回復する。寝るときには脚枕として使える。運動選手は運動前の怪我防止ストレッチとして使い、運動後は疲労回復として使える。実際にＯ脚で困っている人は多くいる。女優、タレント、モデルは必需品である。Ｏ脚矯正、より美しい美脚づくり、疲労回復をする。デパート、客室乗務員などの立ち仕事の人も必需品である。【０１４４】
＜参考例２＞
従来の指圧器具（例えば、特許文献１及び２等参照）では、心棒の外周側に同じ形状・サイズの一対の弾性体を単純に設けているので、指圧器具上に人体の脚部を載せても、脚部の疲労を効果的に解消できない。【０１４５】
本参考例１は、上記現状に鑑みてなされたものであり、脚部の疲労を効果的に緩和、解消又は予防することができる指圧器具セット及びその配置構造を提供することを目的とする。【０１４６】
本参考例１は、以下の通りである。
１．人体の下腿の局所を押圧するための第４副指圧器具（２４’）、人体の足首の局所を押圧するための第５副指圧器具（２５）、人体の足の局所を押圧するための第６副指圧器具（２６）、及び人体の大腿下部の局所を押圧するための第７副指圧器具（２７）を備える指圧器具セット（２０"）であって、第４副指圧器具（２４’）は、心棒（４０）と、心棒の外周側に心棒の軸方向と交差して設けられる長尺状の第１外周側押圧体（４１）、第２外周側押圧体（４２）及び第３外周側押圧体（４３）と、を備え、第１〜第３外周側押圧体のそれぞれは、心棒の外周面に沿う湾曲部（４１ａ〜４３ａ）と、湾曲部の両端側から延びる一対の脚部（４１ｂ〜４３ｂ、４１ｃ〜４３ｃ）と、を備え、第５〜第７指圧器具（２５、２６、２７）のそれぞれは、心棒（４０）と、心棒の外周側に心棒の軸方向と交差して設けられる長尺状の第１外周側押圧体（４１）及び第２外周側押圧体（４２）を備え、第１及び第２外周側押圧体のそれぞれは、心棒の外周面に沿う湾曲部（４１ａ、４２ａ）と、湾曲部の両端側から延びる一対の脚部（４１ｂ、４２ｂ、４１ｃ、４２ｃ）と、を備えることを特徴とする指圧器具セット。これにより、例えば、使用者が仰向け又は横向きで各指圧器具上に脚部を載せると、脚部の疲労を効果的に緩和、解消又は予防できる。さらに、各指圧器具上に両足を中心に寄せ合わせて正座することで、Ｏ脚を矯正することがでいる。
２．第４副指圧器具（２４’）においては、第１外周側押圧体（４１）と第２外周側押圧体（４２）とが、側面同士が離間するように配置されており、第３外周側押圧体（４３）と第２外周側押圧体（４２）とが、側面同士が離間するように配置されている上記１．記載の指圧器具セット。
３．上記１．又は２．に記載の指圧器具セット（２０"）を設置面（１０）上に配置してなる指圧器具セットの配置構造であって、第４〜第７副指圧器具（２４’〜２７）のそれぞれは、設置面上の仮想線（１１）で区画される左右の領域に並設されているとともに、設置面の平面視で該仮想線に対して心棒が傾斜して又は平行に配置されていることを特徴とする指圧器具セットの配置構造。【０１４７】
＜変形例３＞
（１）指圧器具セットの構成
上記実施例の指圧器具セット５０では、第１湾曲部５５ａの一端側に連なる脚部５５ｂが主指圧器具１側を向く第２補助指圧器具５２（図２９及び図３０参照）を採用したが、図５９及び図６０に示すように、本変形例３の指圧器具セット５０’では、第２湾曲部５５ｄの一端側に連なる脚部５５ｅが主指圧器具１側を向く第２補助指圧器具５２’を採用する。すなわち、本変形例３の指圧器具セット５０’では、第１補助指圧器具５１と第２補助指圧器具５２’とは同じ方向を向いている。【０１４８】
（２）指圧器具セットの作用効果
本変形例３の指圧器具セット５０’によると、上記実施例の指圧器具セット５０と略同様の作用効果を奏する。すなわち、使用者が仰向け又は横向きで主指圧器具１上に頭部を載せ、更に各補助指圧器具５１、５２’及び各副指圧器具２１〜２７上に人体の各部を載せると、主指圧器具１により肩こり対策がなされるとともに、各補助指圧器具５１、５２’及び各副指圧器具２１〜２７により人体の各部の疲労対策がなされる。【０１４９】
特に、図６０及び図６１に示すように、第１補助指圧器具５１の第１湾曲部５５ａにより浪越圧点Ｐ２０等が正確に押圧される。さらに、第２補助指圧器具５２’では、第１湾曲部５５ａにより最も重要なツボである腎兪Ｐ３２、志室Ｐ３３等が正確に押圧されるとともに、第２湾曲部５５ｄにより肝兪Ｐ３１等が正確に押圧される。この肝兪Ｐ３１押しは、肩こりの根本ゆえ、下から押した方が気持ち良い。そして、第２補助指圧器具５２’上に載せた人体が頭部側へ向かってすべることで、人体の肉部が効果的にストレッチされる。このストレッチが腎兪Ｐ３２等に刺激を与える。特に、第１及び第２補助指圧器具５１、５２’によって、脊柱起立筋部の指圧とストレッチが実現されるとともに、臀部と腰部の指圧とストレッチが実現される。よって、腰痛防止とともに猫背防止が図られる。【０１５０】
＜変形例４＞
（１）指圧器具の構成
上記実施例の指圧器具１では、平面視で略直線状に延びる第１外周側押圧体（後頭部指圧部）４を備える形態（図３参照）を採用したが、図６２及び図６３に示すように、本変形例４の指圧器具１’では、第１外周側押圧体４は、平面視で長尺方向の両端部（即ち、各脚部４ｂ、４ｃの先端部）が軸端側押圧体３側に向かって湾曲状（即ち、Ｒ状）に曲げられている。さらに、本変形例４の指圧器具１’では、第３外周側押圧体６は、平面視で長尺方向の両端部（即ち、各脚部６ｂ、６ｃの先端部）が軸端側押圧体３側に向かって湾曲状（即ち、Ｒ状）に曲げられている。【０１５１】
（２）指圧器具の作用効果
本変形例４の指圧器具１’によると、上記実施例の指圧器具１と略同様の作用効果を奏するとともに、第１外周側押圧体４の長尺方向の両端部が軸端側押圧体３側に向かって湾曲状に曲げられているので、隙間なくより綿密に押圧でき、より安定した後頭部指圧が可能となる。さらに、後頭部中心のツボと、頭蓋骨と筋の接続部のツボに、より近づいて押圧できることになり、気持ち良さが増し、より安眠熟睡できる。【０１５２】
ここで、後頭部指圧は、より内側に、より下側になることが望ましい。より内側とは後頭部中心に近づくことである。より下側とは頭蓋骨と筋との接続部に近づくことである。後頭部中心と、頭蓋骨と筋の接続部にはツボが集中している。そのため、ツボに近づけば近づくほど、より気持ち良くなり、よく熟睡できる。したがって、本変形例４の指圧器具１’の第１外周側押圧体４のように、平面視で長尺方向の両端部を湾曲状に形成することで、後頭部指圧において、より内側、より下側を押圧できる。【０１５３】
本発明は、上記で詳述した実施形態及び実施例に限定されず、本発明の請求項に示した範囲で様々な変形または変更が可能である。
【産業上の利用可能性】
【０１５４】
本発明は、人体の頭部及び肩部の局所を押圧する指圧器具に関する技術として広く利用される。
【符号の説明】
【０１５５】
１；指圧器具（主指圧器具）、２；心棒、３；軸端側押圧体、４；第１外周側押圧体、５；第２外周側押圧体、６；第３外周側押圧体、１０；設置面、１１；仮想線、２０；指圧器具セット、２１；第１副指圧器具、２２；第２副指圧器具、２３；第３副指圧器具、２４；第４副指圧器具、２５；第５副指圧器具、２６；第６副指圧器具、２７；第７副指圧器具、５０；指圧器具セット、５１；第１補助指圧器具、５２；第２補助指圧器具。
【図１】
2019123654.tif 000003
【図２】
2019123654.tif 000004
【図３】
2019123654.tif 000005
【図４】
2019123654.tif 000006
【図５】
2019123654.tif 000007
【図６】
2019123654.tif 000008
【図７】
2019123654.tif 000009
【図８】
2019123654.tif 000010
【図９】
2019123654.tif 000011
【図１０】
2019123654.tif 000012
【図１１】
2019123654.tif 000013
【図１２】
2019123654.tif 000014
【図１３】
2019123654.tif 000015
【図１４】
2019123654.tif 000016
【図１５】
2019123654.tif 000017
【図１６】
2019123654.tif 000018
【図１７】
2019123654.tif 000019
【図１８】
2019123654.tif 000020
【図１９】
2019123654.tif 000021
【図２０】
2019123654.tif 000022
【図２１】
2019123654.tif 000023
【図２２】
2019123654.tif 000024
【図２３】
2019123654.tif 000025
【図２４】
2019123654.tif 000026
【図２５】
2019123654.tif 000027
【図２６】
2019123654.tif 000028
【図２７】
2019123654.tif 000029
【図２８】
2019123654.tif 000030
【図２９】
2019123654.tif 000031
【図３０】
2019123654.tif 000032
【図３１】
2019123654.tif 000033
【図３２】
2019123654.tif 000034
【図３３】
2019123654.tif 000035
【図３４】
2019123654.tif 000036
【図３５】
2019123654.tif 000037
【図３６】
2019123654.tif 000038
【図３７】
2019123654.tif 000039
【図３８】
2019123654.tif 000040
【図３９】
2019123654.tif 000041
【図４０】
2019123654.tif 000042
【図４１】
2019123654.tif 000043
【図４２】
2019123654.tif 000044
【図４３】
2019123654.tif 000045
【図４４】
2019123654.tif 000046
【図４５】
2019123654.tif 000047
【図４６】
2019123654.tif 000048
【図４７】
2019123654.tif 000049
【図４８】
2019123654.tif 000050
【図４９】
2019123654.tif 000051
【図５０】
2019123654.tif 000052
【図５１】
2019123654.tif 000053
【図５２】
2019123654.tif 000054
【図５３】
2019123654.tif 000055
【図５４】
2019123654.tif 000056
【図５５】
2019123654.tif 000057
【図５６】
2019123654.tif 000058
【図５７】
2019123654.tif 000059
【図５８】
2019123654.tif 000060
【図５９】
2019123654.tif 000061
【図６０】
2019123654.tif 000062
【図６１】
2019123654.tif 000063
【図６２】
2019123654.tif 000064
【図６３】
2019123654.tif 000065
【図６４】
2019123654.tif 000066
【図６５】
2019123654.tif 000067
【図６６】
2019123654.tif 000068
【国際調査報告】
2019123654.tif 000069
2019123654.tif 000070
2019123654.tif 000071
2019123654.tif 000072